(57)【要約】ワイヤレス通信のための技法が説明される。１つの方法は、複数のペイロードのペイロードごとの符号化タイプを選択することを含む。選択することは、少なくとも第１のペイロードのために低密度パリティ検査符号（ＬＤＰＣＣ）符号化タイプを選択することと、少なくとも第２のペイロードのためにターボ符合（ＴＣ）符号化タイプを選択することとを含む。方法はまた、各ペイロードを複数のコードブロックにセグメント化することと、コードブロックごとに、サイクリック冗長検査（ＣＲＣ）を生成することと、複数のコードワードのうちの１つまたは複数のコードワードで各コードブロックおよび関連するＣＲＣを符号化することと、ここで、符号化することは、コードブロックに関連付けられたペイロードのための選択された符号化タイプに少なくとも部分的に基づく、およびコードワードを送信することとを含む。
2019503146.tif 000002
【特許請求の範囲】
【請求項１】
複数のペイロードのペイロードごとの符号化タイプを選択することと、前記選択することは、少なくとも第１のペイロードのために低密度パリティ検査符号（ＬＤＰＣＣ）符号化タイプを選択することと、少なくとも第２のペイロードのためにターボ符合（ＴＣ）符号化タイプを選択することとを備える、
各ペイロードを複数のコードブロックにセグメント化することと、
コードブロックごとに、サイクリック冗長検査（ＣＲＣ）を生成することと、
複数のコードワードのうちの１つまたは複数のコードワードで各コードブロックおよび関連するＣＲＣを符号化することと、前記符号化することは、前記コードブロックに関連付けられたペイロードのための前記選択された符号化タイプに少なくとも部分的に基づく、
前記コードワードを送信することと
を備える、ワイヤレス通信のための方法。
【請求項２】
ペイロードのための前記符号化タイプを、前記ペイロードの特性に少なくとも部分的に基づいて選択すること
をさらに備える、請求項１に記載の方法。
【請求項３】
前記特性は、ペイロードサイズ、または送信データレート、または送信リソースサイズ、またはそれらの組み合わせのうちの少なくとも１つを備える、請求項２に記載の方法。
【請求項４】
前記ペイロードのうちの少なくとも１つのために、前記ペイロードサイズのインジケーション、または前記送信データレートのインジケーション、または前記送信リソースサイズのインジケーション、または前記選択された符号化タイプのインジケーションのうちの少なくとも１つを送信すること
をさらに備える、請求項３に記載の方法。
【請求項５】
コードブロックごとに肯定応答（ＡＣＫ）または否定応答（ＮＡＫ）のうちの１つを受信すること
をさらに備える、請求項１に記載の方法。
【請求項６】
前記第１のペイロードに関連付けられたコードブロックの否定応答（ＮＡＫ）を受信することと、
前記コードブロックに関連付けられた複数のＬＤＰＣＣコードワードと、前記コードブロックに関連付けられた前記ＣＲＣとを再送することと
をさらに備える、請求項１に記載の方法。
【請求項７】
前記第１のペイロードのコードブロックに関連付けられた各コードワードは、等しいコードワード長を有する、請求項１に記載の方法。
【請求項８】
前記等しいコードワード長の整数倍である少なくとも前記第１のペイロードに関連付けられた各コードブロックのコードブロック長を選択すること
をさらに備える、請求項７に記載の方法。
【請求項９】
前記選択されたコードブロック長を維持するために、フィラービットと前記第１のペイロードとを組み合わせること
をさらに備える、請求項８に記載の方法。
【請求項１０】
前記第１のペイロードに関連付けられた各コードブロックは、前記コードブロックに対応する各コードワードに関連付けられた等しいコードワード長の整数倍であるコードブロック長を有する、請求項１に記載の方法。
【請求項１１】
少なくとも前記第２のペイロードをセグメント化するために使用される、ＴＣコードブロックの長さ、あるいはロングタームエボリューション（ＬＴＥ）またはＬＴＥアドバンスト（ＬＴＥ−Ａ）コードブロックの長さ、あるいはそれらの組み合わせに少なくとも部分的に基づいて、少なくとも前記第１のペイロードの各コードブロックのコードブロック長を選択すること
をさらに備える、請求項１に記載の方法。
【請求項１２】
少なくとも前記第１のペイロードをセグメント化するために使用される各コードブロックの長さに少なくとも部分的に基づいて、少なくとも前記第２のペイロードをセグメント化するために使用されるＴＣコードブロックの長さを選択すること
をさらに備える、請求項１に記載の方法。
【請求項１３】
複数のペイロードのペイロードごとの符号化タイプを選択するための手段と、前記選択することは、少なくとも第１のペイロードのために低密度パリティ検査符号（ＬＤＰＣＣ）符号化タイプを選択することと、少なくとも第２のペイロードのためにターボ符合（ＴＣ）符号化タイプを選択することとを備える、
各ペイロードを複数のコードブロックにセグメント化するための手段と、
コードブロックごとに、サイクリック冗長検査（ＣＲＣ）を生成するための手段と、
複数のコードワードのうちの１つまたは複数のコードワードで各コードブロックおよび関連するＣＲＣを符号化するための手段と、前記符号化することは、前記コードブロックに関連付けられたペイロードのための前記選択された符号化タイプに少なくとも部分的に基づく、
前記コードワードを送信するための手段と
を備える、ワイヤレス通信のためのデバイス。
【請求項１４】
ペイロードのための前記符号化タイプを、前記ペイロードの特性に少なくとも部分的に基づいて選択するための手段
をさらに備える、請求項１３に記載のデバイス。
【請求項１５】
前記特性は、ペイロードサイズ、または送信データレート、または送信リソースサイズ、またはそれらの組み合わせのうちの少なくとも１つを備える、請求項１４に記載のデバイス。
【請求項１６】
前記ペイロードのうちの少なくとも１つのために、前記ペイロードサイズのインジケーション、または前記送信データレートのインジケーション、または前記送信リソースサイズのインジケーション、または前記選択された符号化タイプのインジケーションのうちの少なくとも１つを送信するための手段
をさらに備える、請求項１５に記載のデバイス。
【請求項１７】
コードブロックごとに肯定応答（ＡＣＫ）または否定応答（ＮＡＫ）のうちの１つを受信するための手段
をさらに備える、請求項１３に記載のデバイス。
【請求項１８】
前記第１のペイロードに関連付けられたコードブロックの否定応答（ＮＡＫ）を受信するための手段と、
前記コードブロックに関連付けられた複数のＬＤＰＣＣコードワードと、前記コードブロックに関連付けられた前記ＣＲＣとを再送するための手段と
をさらに備える、請求項１３に記載のデバイス。
【請求項１９】
前記第１のペイロードのコードブロックに関連付けられた各コードワードは、等しいコードワード長を有する、請求項１３に記載のデバイス。
【請求項２０】
前記等しいコードワード長の整数倍である少なくとも前記第１のペイロードに関連付けられた各コードブロックのコードブロック長を選択するための手段
をさらに備える、請求項１９に記載のデバイス。
【請求項２１】
前記選択されたコードブロック長を維持するために、フィラービットと前記第１のペイロードとを組み合わせるための手段
をさらに備える、請求項２０に記載のデバイス。
【請求項２２】
前記第１のペイロードに関連付けられた各コードブロックは、前記コードブロックに対応する各コードワードに関連付けられた等しいコードワード長の整数倍であるコードブロック長を有する、請求項１３に記載のデバイス。
【請求項２３】
少なくとも前記第２のペイロードをセグメント化するために使用される、ＴＣコードブロックの長さ、あるいはロングタームエボリューション（ＬＴＥ）またはＬＴＥアドバンスト（ＬＴＥ−Ａ）コードブロックの長さ、あるいはそれらの組み合わせに少なくとも部分的に基づいて、少なくとも前記第１のペイロードの各コードブロックのコードブロック長を選択するための手段
をさらに備える、請求項１３に記載のデバイス。
【請求項２４】
少なくとも前記第１のペイロードをセグメント化するために使用される各コードブロックの長さに少なくとも部分的に基づいて、少なくとも前記第２のペイロードをセグメント化するために使用されるＴＣコードブロックの長さを選択するための手段
をさらに備える、請求項１３に記載のデバイス。
【請求項２５】
低密度パリティ検査符号（ＬＤＰＣＣ）符号化タイプを使用して符号化された少なくとも第１のペイロードと、ターボ符合（ＴＣ）符号化タイプを使用して符号化された少なくとも第２のペイロードとに関連付けられた複数のコードワードを受信することと、
サイクリック冗長検査（ＣＲＣ）および前記第１のペイロードに関連付けられた前記コードワードのセットを復号することと、
前記コードワードの前記セットについての肯定応答（ＡＣＫ）または否定応答（ＮＡＫ）のうちの１つを送信することと
を備える、ワイヤレス通信のための方法。
【請求項２６】
前記第１のペイロードを符号化するために前記ＬＤＰＣＣ符号化タイプが使用されるとのインジケーションを受信すること
をさらに備える、請求項２５に記載の方法。
【請求項２７】
ペイロードサイズのインジケーション、または送信データレートのインジケーション、または送信リソースサイズのインジケーション、またはそれらの組み合わせを受信することに少なくとも部分的に基づいて、前記第１のペイロードのために前記ＬＤＰＣＣ符号化タイプが使用されると決定すること
をさらに備える、請求項２５に記載の方法。
【請求項２８】
低密度パリティ検査符号（ＬＤＰＣＣ）符号化タイプを使用して符号化された少なくとも第１のペイロードと、ターボ符合（ＴＣ）符号化タイプを使用して符号化された少なくとも第２のペイロードとに関連付けられた複数のコードワードを受信するための手段と、
サイクリック冗長検査（ＣＲＣ）および前記第１のペイロードに関連付けられた前記コードワードのセットを復号するための手段と、
前記コードワードの前記セットについての肯定応答（ＡＣＫ）または否定応答（ＮＡＫ）のうちの１つを送信するための手段と
を備える、ワイヤレス通信のためのデバイス。
【請求項２９】
前記第１のペイロードを符号化するために前記ＬＤＰＣＣ符号化タイプが使用されるとのインジケーションを受信するための手段
をさらに備える、請求項２８に記載のデバイス。
【請求項３０】
ペイロードサイズのインジケーション、または送信データレートのインジケーション、または送信リソースサイズのインジケーション、またはそれらの組み合わせを受信することに少なくとも部分的に基づいて、前記第１のペイロードのために前記ＬＤＰＣＣ符号化タイプが使用されると決定するための手段
をさらに備える、請求項２８に記載のデバイス。
【発明の詳細な説明】
【相互参照】
【０００１】
[0001]  本特許出願は、２０１６年１２月５日に出願された「Unified Code Block Segmentation Providing a Cyclic Redundancy Check for Low Density Parity Check Code Codewords」と題された、Ｓｕｎ他による、米国特許出願第１５／３６９，５２５号、および２０１６年１月１４日に出願された「Unified Code Block Segmentation Providing a Cyclic Redundancy Check for Low Density Parity Check Code Codewords」と題された、Ｓｕｎ他による、米国仮特許出願第６２／２７８，６８９号の優先権を主張し、その各々が本願の譲受人に譲渡されている。
【技術分野】
【０００２】
[0002]  本開示は、例えば、ワイヤレス通信システムに関し、より具体的には、低密度パリティ検査符号（ＬＤＰＣＣ：low density parity check code）コードワードのためにサイクリック冗長検査（ＣＲＣ：cyclic redundancy check）を提供する統合されたコードブロックセグメンテーションに関する。
【背景技術】
【０００３】
[0003]  無線通信システムは、音声、ビデオ、パケットデータ、メッセージング、ブロードキャストなどのような、様々なタイプの通信コンテンツを提供するために広く展開されている。これらのシステムは、利用可能なシステムリソース（例えば、時間、周波数、および電力）を共有することによって複数のユーザとの通信をサポートすることが可能な多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（例えば、ロングタームエボリューション（ＬＴＥ（登録商標））システム、または新たな無線（ＮＲ：New Radio）システム）を含む。ワイヤレス多元接続通信システムは、いくつかの基地局を含み得、各々が、別名ユーザ機器（ＵＥ）として知られる複数の通信デバイスのための通信を同時にサポートし得る。
【０００４】
[0004]  いくつかのワイヤレス通信システムでは、基地局およびＵＥは、１つまたは複数の拡張されたコンポーネントキャリア（ｅＣＣ：enhanced component carriers）を使用して通信し得る。ｅＣＣは、競合ベースの（contention-based）無線周波数スペクトルバンドまたは競合なしの（contention-free）無線周波数スペクトルバンドにおいて提供され得る。競合ベースの無線周波数スペクトルバンドは、送信デバイスがアクセスを求めて競合し（contend for access）得る無線周波数スペクトルバンド（例えば、Ｗｉ−Ｆｉの使用のようなライセンス不要の（unlicensed）使用に利用可能な無線周波数スペクトルバンド、あるいは等しく共有または優先順位付けされる方法での複数の（multiple）オペレータによる使用に利用可能な無線周波数スペクトルバンド）である。競合なしの無線周波数スペクトルバンドは、特定の使用のために特定のユーザに対して無線周波数スペクトルバンドがライセンス付与されている（licensed）ため、送信デバイスがアクセスを求めて競合しない可能性がある（may）無線周波数スペクトルバンド（例えば、ロングタームエボリューション（ＬＴＥ）またはＬＴＥアドバンスト（ＬＴＥ−Ａ）通信のために使用可能なライセンス無線周波数スペクトルバンド）である。ｅＣＣ、ＬＴＥ／ＬＴＥ−Ａコンポーネントキャリア（ＣＣ）、およびＷｉ−Ｆｉ ＣＣが同じ無線周波数スペクトルバンドを共有し得るため、ＬＴＥ／ＬＴＥ−ＡまたはＷｉ−Ｆｉ送信技法（例えば、符号化技法）は、いくつかのケースでは、ｅＣＣ送信のために利用され（leveraged）得る。他の場合には、新規のまたは異なる送信技法が、よりｅＣＣ送信に適している可能性がある。
【発明の概要】
【０００５】
[0005]  ｅＣＣは、ＬＴＥ／ＬＴＥ−Ａ ＣＣよりも、より高いデータレート送信のために設計されている。ＬＴＥ／ＬＴＥ−Ａ送信は、ターボ符合（ＴＣ：turbo code）符号化を使用して符号化され得る。ＴＣ符号化は、それがハイブリッド自動再送要求（ＨＡＲＱ）プロセス、パンクチャリング（puncturing）、およびレートマッチングをサポートするという点で有用である。ＴＣ符号化は、ｅＣＣ送信のために使用され得るが、（例えば、ＬＤＰＣＣ符号化のような、符号化のある特定の（certain）他のタイプと比較すると）復号の複雑さを増加させる傾向がある。ＴＣ復号の複雑さは、ｅＣＣ送信のために使用され得るとき、高データレート条件下でさらに増加し得る。例えば、高データレートｅＣＣ送信についてＴＣ符号化を使用するとき、高データレート条件下で満足のいく（satisfactory）復号スループットを提供するために、受信機中に配置される（deployed）ＴＣデコーダの数が増加される必要があり得る。ＬＴＥ／ＬＴＥ−Ａ送信とは対照的に、Ｗｉ−Ｆｉ送信は、ＬＤＰＣＣ符号化を使用して符号化され得る。ＬＤＰＣＣ符号化は、ｅＣＣ送信のために使用され得、ＴＣ符号化と比較すると、復号の複雑さを一桁（by an order of magnitude）低減し得る。ＴＣ符号化が使用されるとき、エラー保護を復号するためにＣＲＣが各コードワードに追加される（is appended）。ＬＤＰＣＣ符号化が使用されるとき、復号エラー検出のためにコード構造がパリティ検査を提供するため（as）、ＣＲＣは通常必要とされない。しかしながら、ＬＤＰＣＣコードワードが短いとき、コード構造によって提供されるパリティ検査は、信頼性が十分ではなく、残りのフォールスアラームイベント（residual false alarm events）があり得る。一方、コードワードにＣＲＣを追加することは、データ送信オーバーヘッドを増加させ、少数のビットを用いたペイロードを有するコードワードにＣＲＣが追加される場合に、オーバーヘッド中の相対的な増加が高くなり得る。本開示は、ＬＤＰＣＣコードワードのためにＣＲＣを提供する統合されたコードブロックセグメンテーションを説明する。ＬＤＰＣＣコードワードのためのＣＲＣは、コードブロックレベルで生成され得、ＣＲＣがＴＣコードブロックのために生成される方法に類似する。ＣＲＣは、複数のＬＤＰＣＣコードワードに対応し得る。
【０００６】
[0006]  一態様では、ワイヤレス通信のための方法が説明される。方法は、複数のペイロードのペイロードごとの（for each payload of a plurality of payloads）符号化タイプを選択することを含み得る。選択することは、少なくとも第１のペイロードのためにＬＤＰＣＣ符号化タイプを選択することと、少なくとも第２のペイロードのためにＴＣ符号化タイプを選択することとを含み得る。方法はまた、各ペイロードを複数のコードブロックにセグメント化することと、コードブロックごとに、ＣＲＣを生成することと、複数のコードワードのうちの１つまたは複数のコードワードで各コードブロックおよび関連するＣＲＣを符号化することと、ここで、符号化することは、コードブロックに関連付けられたペイロードのための選択された符号化タイプに少なくとも部分的に基づく、およびコードワードを送信することとを含み得る。
【０００７】
[0007]  いくつかの例では、方法は、ペイロードのための符号化タイプを、ペイロードの特性に少なくとも部分的に基づいて選択することを含み得る。いくつかの例では、特性は、ペイロードサイズ、または送信データレート、または送信リソースサイズ、またはそれらの組み合わせのうちの少なくとも１つを含み得る。いくつかの例では、方法は、ペイロードのうちの少なくとも１つのために、ペイロードサイズのインジケーション、または送信データレートのインジケーション、または送信リソースサイズのインジケーション、または選択された符号化タイプのインジケーションのうちの少なくとも１つを送信することを含み得る。いくつかの例では、方法は、コードブロックごとに肯定応答（ＡＣＫ）または否定応答（ＮＡＫ）のうちの１つを受信することを含み得る。いくつかの例では、方法は、第１のペイロードに関連付けられたコードブロックのＮＡＫを受信することと、コードブロックに関連付けられた複数のＬＤＰＣＣコードワードと、コードブロックに関連付けられたＣＲＣとを再送することとを含み得る。いくつかの例では、第１のペイロードのコードブロックに関連付けられた各コードワードは、等しいコードワード長を有し得る。いくつかの例では、方法は、等しいコードワード長の整数倍である少なくとも第１のペイロードに関連付けられた各コードブロックのコードブロック長を選択することを含み得る。いくつかの例では、方法は、選択されたコードブロック長を維持するために、フィラービット（filler bits）と第１のペイロードとを組み合わせることを含み得る。いくつかの例では、第１のペイロードに関連付けられた各コードブロックは、コードブロックに対応する各コードワードに関連付けられた等しいコードワード長の整数倍であるコードブロック長を有する。いくつかの例では、方法は、少なくとも第２のペイロードをセグメント化するために使用される、ＴＣコードブロックの長さ、あるいはＬＴＥまたはＬＴＥ−Ａコードブロックの長さ（a length of a TC code block, or a LTE/LTE-A code block）、あるいはそれらの組み合わせに少なくとも部分的に基づいて、少なくとも第１のペイロードの各コードブロックのコードブロック長を選択することを含み得る。いくつかの例では、方法は、少なくとも第１のペイロードをセグメント化するために使用される各コードブロックの長さに少なくとも部分的に基づいて、少なくとも第２のペイロードをセグメント化するために使用されるＴＣコードブロックの長さを選択することを含み得る。
【０００８】
[0008]  一例では、ワイヤレス通信のためのデバイスが説明される。デバイスは、複数のペイロードのペイロードごとの符号化タイプを選択するための手段を含む。選択することは、少なくとも第１のペイロードのためにＬＤＰＣＣ符号化タイプを選択することと、少なくとも第２のペイロードのためにＴＣ符号化タイプを選択することとを含み得る。デバイスはまた、各ペイロードを複数のコードブロックにセグメント化するための手段と、コードブロックごとに、ＣＲＣを生成するための手段と、複数のコードワードのうちの１つまたは複数のコードワードで各コードブロックおよび関連するＣＲＣを符号化するための手段と、ここで、符号化することは、コードブロックに関連付けられたペイロードのための選択された符号化タイプに少なくとも部分的に基づく、およびコードワードを送信するための手段とを含み得る。
【０００９】
[0009]  いくつかの例では、デバイスは、ペイロードのための符号化タイプを、ペイロードの特性に少なくとも部分的に基づいて選択するための手段を含み得る。いくつかの例では、特性は、ペイロードサイズ、または送信データレート、または送信リソースサイズ、またはそれらの組み合わせのうちの少なくとも１つを含み得る。いくつかの例では、デバイスは、ペイロードのうちの少なくとも１つのために、ペイロードサイズのインジケーション、または送信データレートのインジケーション、または送信リソースサイズのインジケーション、または選択された符号化タイプのインジケーションのうちの少なくとも１つを送信するための手段を含み得る。いくつかの例では、デバイスは、コードブロックごとにＡＣＫまたはＮＡＫのうちの１つを受信するための手段を含み得る。いくつかの例では、デバイスは、第１のペイロードに関連付けられたコードブロックのＮＡＫを受信するための手段と、コードブロックに関連付けられた複数のＬＤＰＣＣコードワードと、コードブロックに関連付けられたＣＲＣとを再送するための手段とを含み得る。いくつかの例では、第１のペイロードのコードブロックに関連付けられた各コードワードは、等しいコードワード長を有し得る。いくつかの例では、デバイスは、等しいコードワード長の整数倍である少なくとも第１のペイロードに関連付けられた各コードブロックのコードブロック長を選択するための手段を含み得る。いくつかの例では、デバイスは、選択されたコードブロック長を維持するために、フィラービットと第１のペイロードとを組み合わせるための手段を含み得る。いくつかの例では、第１のペイロードに関連付けられた各コードブロックは、コードブロックに対応する各コードワードに関連付けられた等しいコードワード長の整数倍であるコードブロック長を有し得る。いくつかの例では、デバイスは、少なくとも第２のペイロードをセグメント化するために使用される、ＴＣコードブロックの長さ、あるいはＬＴＥまたはＬＴＥ−Ａコードブロックの長さ、あるいはそれらの組み合わせに少なくとも部分的に基づいて、少なくとも第１のペイロードの各コードブロックのコードブロック長を選択するための手段を含み得る。いくつかの例では、デバイスは、少なくとも第１のペイロードをセグメント化するために使用される各コードブロックの長さに少なくとも部分的に基づいて、少なくとも第２のペイロードをセグメント化するために使用されるＴＣコードブロックの長さを選択するための手段を含み得る。
【００１０】
[0010]  一例では、ワイヤレス通信のための別のデバイスが説明される。デバイスは、プロセッサと、プロセッサと電子通信状態にあるメモリと、メモリに記憶された命令とを含み得る。命令は、複数のペイロードのペイロードごとの符号化タイプを選択するためにプロセッサによって実行可能であり得る。選択することは、少なくとも第１のペイロードのためにＬＤＰＣＣ符号化タイプを選択することと、少なくとも第２のペイロードのためにＴＣ符号化タイプを選択することとを含み得る。命令はまた、各ペイロードを複数のコードブロックにセグメント化することと、コードブロックごとに、ＣＲＣを生成することと、複数のコードワードのうちの１つまたは複数のコードワードで各コードブロックおよび関連するＣＲＣを符号化することと、ここで、符号化することは、コードブロックに関連付けられたペイロードのための選択された符号化タイプに少なくとも部分的に基づく、およびコードワードを送信することとを行うようにプロセッサによって実行可能であり得る。
【００１１】
[0011]  デバイスのいくつかの例では、命令は、ペイロードのための符号化タイプを、ペイロードの特性に少なくとも部分的に基づいて選択するようにプロセッサによって実行可能であり得る。いくつかの例では、特性は、ペイロードサイズ、または送信データレート、または送信リソースサイズ、またはそれらの組み合わせのうちの少なくとも１つを含み得る。いくつかの例では、命令は、コードブロックごとにＡＣＫまたはＮＡＫのうちの１つを受信するようにプロセッサによって実行可能であり得る。いくつかの例では、命令は、第１のペイロードに関連付けられたコードブロックのＮＡＫを受信することと、コードブロックに関連付けられた複数のＬＤＰＣＣコードワードと、コードブロックに関連付けられたＣＲＣとを再送することとを行うようにプロセッサによって実行可能であり得る。いくつかの例では、第１のペイロードのコードブロックに関連付けられた各コードワードは、等しいコードワード長を有し得る。いくつかの例では、第１のペイロードに関連付けられた各コードブロックは、コードブロックに対応する各コードワードに関連付けられた等しいコードワード長の整数倍であるコードブロック長を有し得る。
【００１２】
[0012]  一例では、ワイヤレス通信のためにコンピュータ実行可能コードを記憶する非一時的コンピュータ可読媒体が説明される。コードは、複数のペイロードのペイロードごとの符号化タイプを選択するためにプロセッサによって実行可能であり得る。選択することは、少なくとも第１のペイロードのためにＬＤＰＣＣ符号化タイプを選択することと、少なくとも第２のペイロードのためにＴＣ符号化タイプを選択することとを含み得る。コードはまた、各ペイロードを複数のコードブロックにセグメント化することと、コードブロックごとに、ＣＲＣを生成することと、複数のコードワードのうちの１つまたは複数のコードワードで各コードブロックおよび関連するＣＲＣを符号化することと、ここで、符号化することは、コードブロックに関連付けられたペイロードのための選択された符号化タイプに少なくとも部分的に基づく、およびコードワードを送信することとを行うようにプロセッサによって実行可能であり得る。
【００１３】
[0013]  いくつかの例では、コードは、ペイロードのための符号化タイプを、ペイロードの特性に少なくとも部分的に基づいて選択するようにプロセッサによって実行可能であり得る。いくつかの例では、コードは、コードブロックごとにＡＣＫまたはＮＡＫのうちの１つを受信するために、プロセッサによって実行可能であり得る。
【００１４】
[0014]  一例では、ワイヤレス通信のための別の方法が説明される。方法は、ＬＤＰＣＣ符号化タイプを使用して符号化された少なくとも第１のペイロードと、ＴＣ符号化タイプを使用して符号化された少なくとも第２のペイロードとに関連付けられた複数のコードワードを受信することと、ＣＲＣおよび第１のペイロードに関連付けられたコードワードのセットを復号することと、コードワードのセットについてＡＣＫまたはＮＡＫのうちの１つを送信することとを含み得る。
【００１５】
[0015]  いくつかの（some）例では、方法は、第１のペイロードを符号化するためにＬＤＰＣＣ符号化タイプが使用されるとのインジケーションを受信することを含み得る。いくつかの例では、方法は、ペイロードサイズのインジケーション、または送信データレートのインジケーション、または送信リソースサイズのインジケーション、またはそれらの組み合わせを受信することに少なくとも部分的に基づいて、第１のペイロードのためにＬＤＰＣＣ符号化タイプが使用されると決定することを含み得る。
【００１６】
[0016]  一例では、ワイヤレス通信のための別のデバイスが説明される。デバイスは、ＬＤＰＣＣ符号化タイプを使用して符号化された少なくとも第１のペイロードと、ＴＣ符号化タイプを使用して符号化された少なくとも第２のペイロードとに関連付けられた複数のコードワードを受信するための手段と、ＣＲＣおよび第１のペイロードに関連付けられたコードワードのセットを復号するための手段と、コードワードのセットについてＡＣＫまたはＮＡＫのうちの１つを送信するための手段とを含み得る。
【００１７】
[0017]  いくつかの例では、デバイスは、第１のペイロードを符号化するためにＬＤＰＣＣ符号化タイプが使用されるとのインジケーションを受信するための手段を含み得る。いくつかの例では、デバイスは、ペイロードサイズのインジケーション、または送信データレートのインジケーション、または送信リソースサイズのインジケーション、またはそれらの組み合わせを受信することに少なくとも部分的に基づいて、第１のペイロードのためにＬＤＰＣＣ符号化タイプが使用されると決定するための手段を含み得る。
【００１８】
[0018]  一例では、ワイヤレス通信のための別のデバイスが説明される。デバイスは、プロセッサと、プロセッサと電子通信状態にあるメモリと、メモリに記憶された命令とを含み得る。命令は、ＬＤＰＣＣ符号化タイプを使用して符号化された少なくとも第１のペイロードと、ＴＣ符号化タイプを使用して符号化された少なくとも第２のペイロードとに関連付けられた複数のコードワードを受信することと、ＣＲＣおよび第１のペイロードに関連付けられたコードワードのセットを復号することと、コードワードのセットについてＡＣＫまたはＮＡＫのうちの１つを送信することとを行うようにプロセッサによって実行可能であり得る。
【００１９】
[0019]  一例では、ワイヤレス通信のためのコンピュータ実行可能コードを記憶する別の非一時的コンピュータ可読媒体が説明される。コードは、ＬＤＰＣＣ符号化タイプを使用して符号化された少なくとも第１のペイロードと、ＴＣ符号化タイプを使用して符号化された少なくとも第２のペイロードとに関連付けられた複数のコードワードを受信することと、ＣＲＣおよび第１のペイロードに関連付けられたコードワードのセットを復号することと、コードワードのセットについてＡＣＫまたはＮＡＫのうちの１つを送信することとを行うようにプロセッサによって実行可能であり得る。
【００２０】
[0020]  前述のものは、以下の詳細な説明がより良く理解され得るように、本開示に従った例の特徴および技術的利点をやや広く概説している。さらなる特徴および利点が以下に説明される。開示される概念および具体的な例は、本開示と同じ目的を実行するために、他の構造を改良または設計するための基礎として容易に利用され得る。そのような等価な構造は、添付された特許請求の範囲から逸脱しない。本明細書に開示される概念の特性は、関連する利点とともに、それらの構成および動作の方法の両方が、添付の図に関連して検討されるとき、以下の説明からよりよく理解されるだろう。図の各々は、例示および説明を目的として提供されており、特許請求の範囲の限定の定義としては提供されない。
【図面の簡単な説明】
【００２１】
[0021]  本開示の本質および利点のさらなる理解が、以下の図面を参照することによって実現され得る。添付された図面では、同様のコンポーネントまたは特徴は、同じ参照ラベルを有し得る。さらに、同じ様々なコンポーネントは、参照ラベルの後に、ダッシュと、それらの同様のコンポーネント間を区別する第２のラベルとを続けることによって区別され得る。明細書中で第１の参照ラベルのみが使用される場合、その説明は、第２の参照ラベルに関わらず、同じ第１の参照ラベルを有する同様のコンポーネントのうちの任意の１つに適用可能である。
【図１】[0022]  図１は、本開示の様々な態様に従った、ワイヤレス通信システムの例を示す。
【図２】[0023]  図２は、本開示の様々な態様に従った、ＬＴＥ／ＬＴＥ−Ａが競合ベースの無線周波数スペクトルバンドを使用して異なるシナリオ下で展開され得るワイヤレス通信システムを示す。
【図３】[0024]  図３は、本開示の様々な態様に従った、コードブロックがＬＤＰＣＣ符号化を使用して符号化される前にコードブロックにセグメント化され得るペイロードの図を示す。
【図４】[0024]  図４は、本開示の様々な態様に従った、統合されたコードブロックセグメンテーションのための例示的な方法を図示するフローチャートである。
【図５】[0026]  図５は、本開示の様々な態様に従った、ワイヤレス通信で使用するためのデバイスの図を示す。
【図６】[0027]  図６は、本開示の様々な方法に従った、ワイヤレス通信で使用するためのワイヤレス通信マネージャの図を示す。
【図７】[0028]  図７は、本開示の様々な態様に従った、ワイヤレス通信で使用するためのデバイスの図を示す。
【図８】[0029]  図８は、本開示の様々な態様に従った、ワイヤレス通信で使用するためのワイヤレス通信マネージャの図を示す。
【図９】[0030]  図９は、本開示の様々な態様に従った、ワイヤレス通信で使用するための基地局（例えば、ｅＮＢの一部または全てを形成する基地局）の図を示す。
【図１０】[0031]  図１０は、本開示の様々な態様に従った、ワイヤレス通信で使用するためのＵＥの図を示す。
【図１１】[0032]  図１１は、本開示の様々な態様に従った、ワイヤレス通信のための方法の例を図示するフローチャートである。
【図１２】[0033]  図１２は、本開示の様々な態様に従った、ワイヤレス通信のための方法の例を図示するフローチャートである。
【図１３】[0034]  図１３は、本開示の様々な態様に従った、ワイヤレス通信のための方法の例を図示するフローチャートである。
【詳細な説明】
【００２２】
[0035]  いくつかのワイヤレス通信システム（例えば、ロングタームエボリューション（ＬＴＥ）システム、または新規の無線（ＮＲ）システム（５Ｇ））は、ワイヤレス通信のスループット、レイテンシ、または信頼性を改善するためにｅＣＣを使用し得る。ｅＣＣは、短いシンボル持続期間、広いトーン間隔、短いサブフレーム持続期間、競合ベースの無線周波数スペクトルバンドでの（または、競合なしの無線周波数スペクトルバンドでの）動作、あるいは広帯域を特徴とし得る。ｅＣＣは、比較的狭い帯域幅（例えば、２０ＭＨｚ）を有し得る非ｅＣＣ（例えば、競合ベースの無線周波数スペクトルバンドにおける、ＬＴＥ／ＬＴＥ−Ａコンポーネントキャリア（ＣＣ）、ライセンス補助アクセス（ＬＡＡ：Licensed Assisted Access）ＣＣ、またはスタンドアローンＣＣ）と比較して、比較的広い帯域幅（例えば、８０ＭＨｚまたは１００ＭＨｚ）を有し得る。ｅＣＣは、１つまたは複数のチャネル（例えば、４つの２０ＭＨｚの帯域幅のセグメントのような、帯域幅のセグメント）を含み得る。
【００２３】
[0036]  本開示は、ＬＤＰＣＣコードワードのためにＣＲＣが提供される統合されたコードブロックセグメンテーションを説明する。いくつかの例では、技法は、ｅＣＣペイロードを符号化するために使用され得る。
【００２４】
[0037]  以下の説明は例を提供するものであり、特許請求の範囲で述べられる範囲、適用可能性、または例を限定するものではない。本開示の範囲から逸脱することなく、説明される要素の機能および配列で変更がなされ得る。様々な例は、必要に応じて、様々なプロシージャまたはコンポーネントを省略、代用、あるいは追加し得る。例えば、説明される方法は、説明されるものとは異なる順序で行われ得、また、様々なステップが追加、省略、または組み合わせられ得る。また、いくつかの例に関して説明された特徴は、他の例中で組み合わせられ得る。
【００２５】
[0038]  図１は、本開示の様々な態様に従った、ワイヤレス通信システム１００の例を示す。ワイヤレス通信システム１００は、基地局１０５、ＵＥ１１５、およびコアネットワーク１３０を含み得る。いくつかの例では、ワイヤレス通信システム１００は、ＬＴＥ（またはＬＴＥアドバンスト）ネットワーク、または新規の無線（ＮＲ）ネットワークであり得る。いくつかのケースでは、ワイヤレス通信システム１００は、拡張されたブロードバンド通信、高信頼性（すなわち、ミッションクリティカルな）通信、低レイテンシ通信、および低コストおよび低い複雑性を用いた通信をサポートし得る。コアネットワーク１３０は、ユーザ認証、アクセス承認、追跡、インターネットプロトコル（ＩＰ）接続性、および他のアクセス、ルーティング、またはモビリティ機能を提供し得る。基地局１０５は、バックホールリンク１３２（例えば、Ｓ１など）を通じてコアネットワーク１３０とインターフェースをとり得るか、ＵＥ１１５との通信のために無線構成およびスケジューリングを行い得るか、または基地局コントローラ（図示せず）の制御下で動作し得る。様々な例では、基地局１０５は、直接的にまたは間接的に（例えば、コアネットワーク１３０を通じて）のいずれかで、ワイヤードまたはワイヤレス通信リンクであり得るバックホールリンク１３４（例えば、Ｘ２など）上で互いと通信し得る。
【００２６】
[0039]  基地局１０５は、１つまたは複数の基地局アンテナを介してＵＥ１１５とワイヤレスに通信し得る。基地局１０５のサイト（sites）の各々は、それぞれの地理的カバレッジエリア１１０のための通信カバレッジを提供し得る。いくつかの例では、基地局１０５は、基地トランシーバ局、無線基地局、アクセスポイント、無線トランシーバ、ノードＢ、発展型ノードＢ（ｅＮＢ）、ホームノードＢ、ホームｅノードＢ、または何らかの他の適切な用語で呼ばれ得る。基地局１０５のための地理的カバレッジエリア１１０は、カバレッジエリアの一部を構成するセクタ（図示せず）に分割され得る。ワイヤレス通信システム１００は、異なるタイプの基地局１０５（例えば、マクロまたはスモールセル基地局）を含み得る。異なる技術に関して重複している地理的カバレッジエリア１１０が存在し得る。
【００２７】
[0040]  いくつかの例では、ワイヤレス通信システム１００は、ＬＴＥ／ＬＴＥ−Ａネットワークを含み得、下記で説明されるような狭帯域通信技法を利用し得る。ＬＴＥ／ＬＴＥ−Ａネットワークでは、ｅＮＢという用語は、基地局１０５を説明するために使用され得る。ワイヤレス通信システム１００は、異なるタイプのｅＮＢが様々な地理的領域のためのカバレッジを提供する異種ＬＴＥ／ＬＴＥ−Ａネットワークであり得る。例えば、各ｅＮＢまたは基地局１０５は、マクロセル、スモールセル、または他のタイプのセルのために通信カバレッジを提供し得る。「セル」という用語は、コンテキストに依存して、基地局、基地局に関連付けられたキャリアまたはコンポーネントキャリア、あるいはキャリアまたは基地局のカバレッジエリア（例えば、セクタなど）を説明するために使用されることができる、３ＧＰＰ（登録商標）の用語である。
【００２８】
[0041]  マクロセルは、比較的大きい地理的エリア（例えば、半径数キロメートル）をカバーし得、ネットワークプロバイダにサービス加入しているＵＥによる無制限のアクセスを可能にし得る。スモールセルは、マクロセルと同じまたは異なる（例えば、競合なしの、競合ベースのなど）無線周波数スペクトルバンドで動作し得るマクロセルと比較して、低電力の基地局であり得る。スモールセルは、様々な例によると、ピコセル、フェムトセル、およびマイクロセルを含み得る。ピコセルは、比較的小さい地理的エリアをカバーし得、ネットワークプロバイダにサービス加入しているＵＥによる無制限のアクセスを可能にし得る。フェムトセルもまた、比較的小さい地理的エリア（例えば、家）をカバーし得、フェムトセルとの関連付けを有するＵＥ（例えば、限定された加入者グループ（ＣＳＧ：closed subscriber group）中のＵＥ、家の中にいるユーザのためのＵＥなど）による制限されたアクセスを提供し得る。マクロセルのためのｅＮＢは、マクロｅＮＢと呼ばれ得る。スモールセルのためのｅＮＢは、スモールセルｅＮＢ、ピコｅＮＢ、フェムトｅＮＢ、またはホームｅＮＢと呼ばれ得る。ｅＮＢは、１つまたは複数（例えば、２つ、３つ、４つなど）のセル（例えば、コンポーネントキャリア）をサポートし得る。
【００２９】
[0042]ワイヤレス通信システム１００は、同期または非同期動作をサポートし得る。同期動作について、基地局は、同様のフレームタイミングを有し得、異なる基地局からの送信は、時間でおおまかにアラインされ得る。非同期動作について、基地局は、異なるフレームタイミングを有し得、また異なる基地局からの送信は、時間でアラインされない可能性がある。本明細書で説明される技法は、同期または非同期動作のいずれかのために使用され得る。
【００３０】
[0043]  様々な開示される例のうちのいくつかを含み（accommodate）得る通信ネットワークは、レイヤードプロトコルスタック従って動作するパケットベースのネットワークであり得る。ユーザプレーンでは、ベアラまたはパケットデータコンバージェンスプロトコル（ＰＤＣＰ：Packet Data Convergence Protocol）レイヤにおける通信は、ＩＰベースであり得る。無線リンク制御（ＲＬＣ：Radio Link Control）レイヤは、論理チャネル上で通信するために、パケットのセグメント化および再構成を行い得る。媒体アクセス制御（ＭＡＣ：Medium Access Control）レイヤは、優先処理、およびトランスポートチャネルへの論理チャネルの多重化を行い得る。ＭＡＣレイヤはまた、リンク効率を改善するために、ＭＡＣレイヤにおいて再送を提供するＨＡＲＱを使用し得る。制御プレーンでは、無線リソース制御（ＲＲＣ：Radio Resource Control）プロトコルレイヤは、ユーザプレーンデータのための無線ベアラをサポートする、ＵＥ１１５と基地局１０５またはコアネットワーク１３０との間のＲＲＣ接続の確立、構成、および維持を提供し得る。物理（ＰＨＹ）レイヤにおいて、トランスポートチャネルは、物理チャネルにマッピングされ得る。
【００３１】
[0044]  ＬＴＥまたはＮＲにおける時間間隔は、（ＴＳ＝１／３０，７２０，０００秒のサンプリング期間であり得る）基本時間単位の倍数で（in multiples of）表現され得る。時間リソースは、１０ミリ秒の長さの無線フレーム（Ｔｆ＝３０７２００ＴＳ）に従って組織化され得、それは、０から１０２３に及ぶシステムフレーム番号（ＳＦＮ：system frame number）で識別され得る。各フレームは、０から９まで番号付けされた１０個の１ｍｓサブフレームを含み得る。サブフレームは、２つの５ｍｓスロットにさらに分割され得、その各々が（各シンボルに付加された（prepended）サイクリックプレフィックスの長さに依存して）６または７変調シンボル期間を含む。サイクリックプレフィックスを除いて、各シンボルは、２０４８個のサンプル期間を含む。いくつかのケースでは、サブフレームは、ＴＴＩとしても知られる最小スケジューリング単位であり得る。他のケースでは、ＴＴＩは、（例えば、短いＴＴＩバースト中で、または短いＴＴＩを使用する選択されたコンポーネントキャリア中で）動的に選択され得るか、またはサブフレーム（a subframe）よりも短い可能性がある。
【００３２】
[0045]  リソース要素は、１つのシンボル期間および１つのサブキャリア（例えば、１５ＫＨｚ周波数範囲）で構成され得る。リソースブロックは、周波数領域中に１２個の連続するサブキャリアを含み得、各ＯＦＤＭシンボル中の通常のサイクリックプレフィックスに関して、時間領域（１スロット）中に７個の連続するＯＦＤＭシンボル、すなわち８４個のリソース要素を含み得る。各リソース要素によって搬送されるビットの数は、変調方式（各シンボル期間中に選択され得るシンボルの構成）に依存し得る。よって、ＵＥが受信するリソースブロックが多いほど、また、変調方式が高度であるほど、データレートは高くなり得る。
【００３３】
[0046]  ＵＥ１１５は、ワイヤレス通信システム１００全体にわたって分散され、各ＵＥ１１５は、固定式または移動式であり得る。ＵＥ１１５はまた、当業者によって、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な専門用語で呼ばれ得る。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局、ＮＢ−ＬＴＥデバイス、Ｍ２Ｍデバイス、マシンタイプ通信（ＭＴＣ）デバイス、ＮＢ−ＩｏＴデバイスなどであり得る。ＵＥは、マクロｅＮＢ、スモールセルｅＮＢ、リレー基地局などを含む様々なタイプの基地局およびネットワーク機器と通信することが可能であり得る。
【００３４】
[0047]  ワイヤレス通信システム１００に示される通信リンク１２５は、基地局１０５からＵＥ１１５へのダウンリンク（ＤＬ）送信、またはＵＥ１１５から基地局１０５へのアップリンク（ＵＬ）送信を含み得る。ダウンリンク送信は、順方向リンク送信とも呼ばれ、一方、アップリンク送信また、逆方向リンク送信とも呼ばれ得る。通信リンク１２５は、本開示で説明されるような、狭帯域通信のための専用物理アップリンク制御チャネル（ＰＵＣＣＨ）リソースを含み得る。
【００３５】
[0048]  いくつかの例では、各通信リンク１２５は、１つまたは複数のキャリアを含み得、ここで、各キャリアは、上述された様々な無線技術によって変調された複数のサブキャリア（例えば、異なる周波数の波形信号）で構成される信号であり得る。各変調された信号は、異なるサブキャリア上で送られ、制御情報（例えば、基準信号、制御チャネルなど）、オーバ-ヘッド情報、ユーザデータなどを搬送し得る。通信リンク１２５は、（例えば、ペアにされたスペクトルリソースを使用する）周波数分割複信（ＦＤＤ）動作、または（例えば、ペアではないスペクトルリソースを使用する）時間分割複信（ＴＤＤ）動作を使用して双方向通信を送信し得る。ＦＤＤ動作についてのフレーム構造（例えば、フレーム構造タイプ１）およびＴＤＤ動作についてのフレーム構造（例えば、フレーム構造タイプ２）が定義され得る。
【００３６】
[0049]  いくつかの例では、ワイヤレス通信システム１００は、競合なしの無線周波数スペクトルバンドは、特定の使用のために特定のユーザに対して無線周波数スペクトルバンドがライセンス付与されているため、送信装置がアクセスを求めて競合しない可能性がある無線周波数スペクトルバンド（例えば、ＬＴＥ／ＬＴＥ−Ａ通信のために使用可能なライセンス無線周波数スペクトルバンド）、または競合ベースの無線周波数スペクトルバンド（例えば、送信装置がアクセスを求めて競合し得る無線周波数スペクトルバンド（例えば、Ｗｉ−Ｆｉの使用のようなライセンス不要の使用に利用可能な無線周波数スペクトルバンド、異なる無線アクセス技術の使用に利用可能な無線周波数スペクトルバンド、あるいは等しく共有または優先順位付けされる方法で複数のオペレータによる使用に利用可能な無線周波数スペクトルバンド））上での動作をサポートし得る。競合ベースの無線周波数スペクトルバンドのチャネルへのアクセスを求める競合に勝つと、送信装置（例えば、基地局１０５またはＵＥ１１５）は、チャネル上で１つまたは複数のチャネル予約信号（例えば、１つまたは複数のチャネル利用ビーコン信号（ＣＵＢＳ：channel usage beacon signal）を送信し得る。ＣＵＢＳは、チャネル上で検出可能なエネルギーを提供することによってチャネルを予約し得る。ＣＵＢＳはまた、送信装置を識別するようにサービスするか、または送信装置および受信装置を同期し得る。
【００３７】
[0050]  いくつかのケースでは、ワイヤレス通信システム１００は、１つまたは複数のｅＣＣを利用し得る。ｅＣＣは、広帯域幅と、短いシンボル持続期間と、広いトーン間隔と、より短い送信時間間隔（ＴＴＩ）と、競合ベースの無線周波数スペクトルバンドでの（または、競合なしの無線周波数スペクトルバンドでの）動作とを含む、１つまたは複数の特徴を特徴とし得る。いくつかのケースでは、ｅＣＣは、（例えば、複数のサービングセルが準最適のバックホールリンクを有するとき）キャリアアグリゲーション（ＣＡ）構成またはデュアルコネクティビティ構成に関連付けられ得る。ｅＣＣはまた、（１以上のオペレータがスペクトルを使用することを許可される）アンライセンススペクトルまたは共有スペクトルで使用するために構成され得る。広帯域幅を特徴とするｅＣＣは、（例えば、電力を節約するために）帯域幅全体をモニタすることができないか、または限定された帯域幅を使用することを好むＵＥ１１５によって利用され得る１つまたは複数のセグメントを含み得る。
【００３８】
[0051]  いくつかのケースでは、ｅＣＣは、他のＣＣとは異なるシンボル持続期間を利用し得、それは、他のＣＣのシンボル持続期間と比較すると、低減されたシンボル持続期間の使用を含み得る。より短いシンボル持続期間は、増加されたサブキャリア間隔（increased subcarrier spacing）に関連付けられる。ｅＣＣにおけるＴＴＩは、１つまたは複数のシンボルから構成され得る。いくつかのケースでは、ＴＴＩ持続期間（すなわち、ＴＴＩ中のシンボルの数）は、可変であり得る。いくつかのケースでは、ｅＣＣは、他のＣＣ）とは異なるシンボル持続期間を利用し得、それは、他のＣＣのシンボル持続期間と比較すると、低減されたシンボル持続期間の使用を含み得る。より短いシンボル持続期間は、増加されたサブキャリア間隔に関連付けられる。ｅＣＣを利用するＵＥ１１５または基地局１０５のようなデバイスは、低減されたシンボル持続期間（例えば、１６．６７マイクロ秒）で広帯域信号（例えば、２０、４０、６０、８０Ｍｈｚなど）を送信し得る。ｅＣＣにおけるＴＴＩは、１つまたは複数のシンボルから構成され得る。いくつかのケースでは、ＴＴＩ持続期間（すなわち、ＴＴＩ中のシンボルの数）は、可変であり得る。
【００３９】
[0052]  いくつかのケースでは、ワイヤレスシステム１００は、ライセンスおよびアンライセンス無線周波数スペクトルバンドの両方を利用し得る。例えば、ワイヤレスシステム１００は、ＬＴＥのライセンス補助アクセス（ＬＴＥ−ＬＡＡ）、またはＬＴＥアンライセンス（ＬＴＥ Ｕ）無線アクセス技術、または５ＧＨｚの産業用、化学（Scientific）用、および医療用（ＩＳＭ：Industrial, Scientific, and Medical）バンドのような、アンライセンスバンドにおいてＮＲ技術を用い（employ）得る。アンライセンス無線周波数バンドで動作しているとき、基地局１０５およびＵＥ１１５のようなワイヤレスデバイスは、データを送信する前にチャネルがクリアであることを保証するためのリッスンビフォアトーク（ＬＢＴ：listen-before-talk）プロシージャを利用し得る。いくつかのケースでは、アンライセンスバンドでの動作は、ライセンスバンド中で動作するコンポーネントキャリア（ＣＣ）とともに、キャリアアグリゲーション（ＣＡ）に基づき得る。アンライセンススペクトルでの動作は、ダウンリンク送信、アップリンク送信、または両方を含み得る。アンライセンススペクトルでの複信（duplexing）は、周波数分割複信（ＦＤＤ）、時分割複信（ＦＤＤ）、または両方の組み合わせに基づき得る。
【００４０】
[0053]  図２は、本開示の様々な態様に従った、ＬＴＥ／ＬＴＥ−Ａ ＣＣまたはｅＣＣが、競合ベースの無線周波数スペクトルバンドを使用して異なるシナリオ下で展開され得るワイヤレス通信システム２００を示す。より具体的には、図２は、補足的な（supplemental）ダウンリンクモード（第１のライセンス補助アクセスモードとも呼ばれる）、キャリアアグリゲーションモード（第２のライセンス補助アクセスモードとも呼ばれる）、およびスタンドアローンモードの例を図示しており、ＬＴＥ／ＬＴＥ−Ａおよび／またはｅＣＣ ＯＦＤＭニューメロロジ（numerology）は、競合ベースの無線周波数スペクトルバンドを使用して利用される。ワイヤレス通信システム２００は、図１に関連して説明されたワイヤレス通信システム１００の一部分の例であり得る。さらに、第１の基地局１０５−ａおよび第２の基地局１０５−ｂは、図１に関連して説明された基地局１０５のうちの１つまたは複数の態様の例であり得るが、一方第１のＵＥ１１５−ａ、第２のＵＥ１１５−ｂ、および第３のＵＥ１１５−ｃは、図１に関連して説明されたＵＥ１１５のうちの１つまたは複数の態様の例であり得る。
【００４１】
[0054]  ワイヤレス通信システム２００における補足的なダウンリンクモード（例えば、第１のライセンス補助アクセスモード）の例では、第１の基地局１０５−ａは、ダウンリンクチャネル２２０を使用して第１のＵＥ１１５−ａにＯＦＤＭＡ波形を送信し得る。ダウンリンクチャネル２２０は、競合ベースの無線周波数スペクトルバンドにおける周波数Ｆ１に関連付けられ得る。第１の基地局１０５−ａは、第１の双方向リンク２２５を使用して第１のＵＥ１１５−ａにＯＦＤＭＡ波形を送信し得、第１の双方向リンク２２５を使用して第１のＵＥ１１５−ａからＳＣ−ＦＤＭＡ波形を受信し得る。第１の双方向リンク２２５は、競合なしの無線周波数スペクトルバンドにおける周波数Ｆ４に関連付けられ得る。競合ベースの無線周波数スペクトルバンドにおけるダウンリンクチャネル２２０と、競合なしの無線周波数スペクトルバンドにおける第１の双方向リンク２２５は、同時に（contemporaneously）動作し得る。ダウンリンクチャネル２２０は、第１の基地局１０５−ａにダウンリンク容量オフロードを提供し得る。いくつかの例では、ダウンリンクチャネル２２０が、（例えば、１つのＵＥにアドレスされる）ユニキャストサービスのために、または（例えば、いくつかのＵＥにアドレスされる）マルチキャストサービスのために、使用され得る。このシナリオは、競合なしの無線周波数スペクトルを使用しかつトラフィックまたはシグナリング輻輳のうちのいくらかを緩和する（relieve）必要がある、いかなるサービスプロバイダ（例えば、モバイルネットワークオペレータ（ＭＮＯ））にも（with）起こり得る。
【００４２】
[0055]  ワイヤレス通信システム２００におけるキャリアアグリゲーションモード（例えば、第２のライセンス補助アクセスモード）の例では、第１の基地局１０５−ａは、第２の双方向リンク２３０を使用して第２のＵＥ１１５−ｂにＯＦＤＭＡ波形を送信し得、第２の双方向リンク２３０を使用して、第２のＵＥ１１５−ｂからＯＦＤＭＡ波形、ＳＣ−ＦＤＭＡ波形、またはリソースブロックインタリーブＦＤＭＡ波形を受信し得る。第２の双方向リンク２３０は、競合ベースの無線周波数スペクトルバンドにおける周波数Ｆ１に関連し得る。第１の基地局１０５−ａはまた、第３の双方向リンク２３５を使用して第２のＵＥ１１５−ｂにＯＦＤＭＡ波形を送信し得、第３の双方向リンク２３５を使用して第２のＵＥ１１５−ｂからＳＣ−ＦＤＭＡ波形を受信し得る。第３の双方向リンク２３５は、競合なしの無線周波数スペクトルバンドにおける周波数Ｆ２に関連付けられ得る。第２の双方向リンク２３０は、第１の基地局１０５−ａについてオフロードされたダウンリンクおよびアップリンク容量を提供し得る。上述された補足的なダウンリンクモード（例えば，ライセンス補助アクセスモード）のように、このシナリオは、競合なしの無線周波数スペクトルを使用し、かつトラフィックまたはシグナリング輻輳のうちのいくらかを緩和する必要がある、いかなるサービスプロバイダ（例えば、モバイルネットワークオペレータ（ＭＮＯ））にも起こり得る。
【００４３】
[0056]  上述されたように、競合ベースの無線周波数スペクトルバンド中のＬＴＥ／ＬＴＥ−Ａを使用することによって提供される（offered）容量オフロードから利益を得る可能性のあるサービスプロバイダの１つのタイプは、ＬＴＥ／ＬＴＥ−Ａの競合なしの無線周波数スペクトルバンドに対するアクセス権を有する従来のＭＮＯである。これらのサービスプロバイダについて、動作例は、競合なしの無線周波数スペクトルバンド上でＬＴＥ／ＬＴＥ−Ａ一次コンポーネントキャリア（ＰＣＣ：primary component carrier）を使用し、競合ベースの無線周波数スペクトルバンド上で少なくとも１つの二次コンポーネントキャリア（ＳＣＣ：secondary component carrier）を使用するブートストラップモード（例えば、補足的なダウンリンク、キャリアアグリゲーション）を含み得る。
【００４４】
[0057]  キャリアアグリゲーションモードでは、データおよび制御は、（例えば、第１の双方向リンク２２５または第３の双方向リンク２３５を介して）例えば、競合なしの無線周波数スペクトルバンドド中で通信され得るが、一方データは、（例えば、第２の双方向リンク２３０を介して）例えば、競合ベースの無線周波数スペクトルバンド中で通信され得る。競合ベースの無線周波数スペクトルバンドを使用するときにサポートされるキャリアアグリゲーションメカニズムは、ハイブリッド周波数分割複信−時分割複信（ＦＤＤ−ＴＤＤ）キャリアアグリゲーションまたは複数のコンポーネントキャリアにわたって異なる対称性を有するＴＤＤ−ＴＤＤキャリアアグリゲーションに該当し得る。
【００４５】
[0058]  ワイヤレス通信システム２００におけるスタンドアローンモードの１つの例では、第２の基地局１０５−ｂは、双方向リンク２５０を使用して第３のＵＥ１１５−ｃにＯＦＤＭＡ波形を送信し得、双方向リンク２５０を使用して第３のＵＥ１１５−ｃからＯＦＤＭＡ波形、ＳＣ−ＦＤＭＡ波形、またはリソースブロックインタリーブＦＤＭＡ波形を受信し得る。双方向リンク２５０は、競合ベースの無線周波数スペクトルバンドにおける周波数Ｆ３に関連付けられ得る。スタンドアローンモードは、スタジアム内（in-stadium）アクセス（例えば、ユニキャスト、マルチキャスト）のような、非伝統的なワイヤレスアクセスのシナリオにおいて使用され得る。この動作のモードのためのサービスプロバイダのタイプの例は、競合なしの無線周波数スペクトルバンドへのアクセスを有していない大企業（large corporation）、企業（enterprise）、ホテル、イベントホスト、ケーブル会社、またはスタジアムオーナーであり得る。
【００４６】
[0059]  いくつかの例では、図１および図２に関連して説明された基地局１０５のうちの１つ、または、図１および２に関連して説明されたＵＥ１１５のうちの１つのような送信装置は、競合ベースの無線周波数スペクトルバンドのチャネルへの（例えば、競合ベースの無線周波数スペクトルバンドの物理チャネルへの）アクセスを得るためにゲーティング間隔を使用し得る。いくつかの例では、ゲーティング間隔（gating interval）は、同期的および周期的であり得る。例えば、周期的なゲーティング間隔は、ＬＴＥ／ＬＴＥ−Ａ無線インターバルの少なくとも１つの境界と同期化され得る。他の例では、ゲーティング間隔は、非同期的（asynchronous）であり得る。ゲーティング間隔は、欧州電気通信標準化機構（ＥＴＳＩ：European Telecommunications Standards Institute）（ＥＮ３０１ ８９３）で規定されたＬＢＴプロトコルに基づいて、リッスンビフォアトーク（ＬＢＴ：Listen-Before-Talk）プロトコルのような競合ベースのプロトコルのアプリケーションを定義し得る。ＬＢＴプロトコルのアプリケーションを定義するゲーティング間隔を使用するとき、ゲーティング間隔は、例えばクリアチャネルアセスメント（ＣＣＡ）プロシージャまたはｅＣＣＡプロシージャのような競合プロシージャ（例えばＬＢＴプロシージャ）を、いつ送信装置が行う必要があるのかを指示し得る。ＣＣＡプロシージャまたはｅＣＣＡプロシージャの結果は、競合ベースの無線周波数スペクトルバンドのチャネルが、ゲーティング間隔（例えば、ＬＢＴ無線フレームまたは送信バースト）を利用可能であるか、またはそれに使用されるかを、送信装置に指示し得る。対応するＬＢＡ無線フレームまたは送信バーストにチャネルが利用可能である（例えば、使用するのに「クリアである」）ことをＣＣＡプロシージャまたはｅＣＣＡプロシージャが示すとき、送信装置は、ＬＢＴ無線フレームの一部または全ての間で競合ベースの無線周波数スペクトルバンドのチャネルを予約または使用し得る。チャネルが利用可能でない（例えば、チャネルが別の送信装置によって使用または予約されている）ことをＣＣＡプロシージャが示すとき、送信装置は、ＬＢＴ無線フレームの間にチャネルを使用することを阻止され得る。
【００４７】
[0060]  ワイヤレス通信システム１００または２００において行われる送信は、符号化され得る。ｅＣＣ送信（および起こり得る（possibly）他の送信）のケースでは、送信は、例えば、ＴＣ符号化またはＬＤＰＣＣ符号化を使用して符号化され得る。ＴＣ符号化を使用するとき、ペイロード（またはトランスポートブロック）は、複数のコードブロックにセグメント化され得る。いくつかの例では、各コードブロックのサイズは、６，１４４ビット以下（less than or equal to）であり得、２４ビットのＣＲＣは、コードブロックごとに生成（およびコードブロックに追加）され得る。ＣＲＣは、十分に低いエラー確率を有するコードブロックレベルの肯定応答（ＡＣＫ）または否定応答（ＮＡＫ）のためのサポートを提供する。そのネイティブフォーム（native form）でＬＤＰＣＣ符号化（例えば、ＩＥＥＥ Ｓｔｄ．８０２．１１ｎ ＬＤＰＣＣ符号化）を使用するとき、パリティ検査は、復号されたシーケンスが有効なコードワードであるかどうかをチェックするために使用され得る。しかしながら、パリティ検査は短く、十分に低いエラー確率に関連付けられない可能性がある（例えば、エラー確率は、ＡＣＫ／ＮＡＫを復号するＴＣに関連付けられたエラー確率と等しくない可能性がある）。
【００４８】
[0061]  ＬＤＰＣＣ復号に関連付けられるエラー確率を減少させるための１つの方法は、ＬＤＰＣＣコードワードごとにＣＲＣを生成することである。しかしながら、そうすることでのオーバーヘッドは、ＬＤＰＣＣコードワードが比較的短い可能性があるため、比較的大きくなり得る。代替的に、ＣＲＣは、ＬＤＰＣＣコードブロックレベルで生成され得る。ペイロードは、いくつかのケースでは、ＴＣコードブロック（例えば、６，１４４ビットよりも長くないコードブロック）とおおよそ同じサイズであるＬＤＰＣＣコードブロックにセグメント化され得る。コードブロックにＣＲＣを追加するオーバーヘッドが（アプリケーションによって決定されるとき）十分に小さくなるように、ＬＤＰＣＣコードブロックサイズが選択され得る。ＣＲＣとともに、ＬＤＰＣＣコードブロックは、複数の（multiple）ＬＤＰＣＣコードワードにさらに分割され得る。いくつかの例では、ＬＤＰＣＣコードワードは、等しいコードワード長を有し得る。しかしながら、等しいコードワード長のケースでは、ＬＤＰＣＣコードブロック長の許容された（allowed）セットは、ＴＣコードブロック長の許容されたセットよりも短くなり得る。
【００４９】
[0062]  ＬＤＰＣＣコードブロックごとにＣＲＣが与えられると（Given）、ＬＤＰＣＣ符号化ペイロードは、コードブロックレベルでＡＣＫされ／ＮＡＫされ得る（例えば、ＬＤＰＣＣコードブロックに対応するＬＤＰＣＣコードワードの全てが、バンドルとしてＡＣＫされ得るまたはＮＡＫされ得る）。
【００５０】
[0063]  図３は、本開示の様々な態様に従った、コードブロックがＬＤＰＣＣ符号化を使用して符号化される前にコードブロックにセグメント化され得るペイロード３０５の図３００を示す。ペイロード３０５は、例えば、図１または２に関連して説明された基地局１０５またはＵＥ１１５のいずれかによって送信され得る。
【００５１】
[0064]  ペイロード３０５がＬＤＰＣＣ符号化を使用して符号化されるとき、ペイロード３０５は、第１のコードブロック（ＣＢ０）、第２のコードブロック（ＣＢ１）、第３のコードブロック（ＣＢ２）、および第４のコードブロック（ＣＢ３）を含む、複数のＬＤＰＣＣコードブロックにセグメント化され得る。次にＣＲＣがコードブロックごとに生成され得る（例えば、第１のＣＲＣ（例えば、ＣＲＣ０）が第１のコードブロック（ＣＢ０）のために生成され得、第２のＣＲＣ（ＣＲＣ１）が第２のコードブロック（ＣＢ１）のために生成され得、第３のＣＲＣ（ＣＲＣ２）が第３のコードブロック（ＣＢ２）のために生成され得、および第４のＣＲＣ（ＣＲＣ３）が第４のコードブロック（ＣＢ３）のために生成され得る）。各ＬＤＰＣＣコードブロックおよび関連するＣＲＣは次に、複数のＬＤＰＣＣコードワードで符号化され得る（例えば、第１のコードブロック（ＣＢ０）および第１のＣＲＣ（ＣＲＣ０）は、ＬＤＰＣＣコードワードＣＷ００、ＣＷ０１、およびＣＷ０２で（in）符号化され得、第２のコードブロック（ＣＢ１）および第２のＣＲＣ（ＣＲＣ１）は、ＬＤＰＣＣコードワードＣＷ１０、ＣＷ１１、およびＣＷ１２で符号化され得、第３のコードブロック（ＣＢ２）および第３のＣＲＣ（ＣＲＣ２）は、ＬＤＰＣＣコードワードＣＷ２０、ＣＷ２１、およびＣＷ２２で符号化され得、第４のコードブロック（ＣＢ３）および第４のＣＲＣ（ＣＲＣ３）は、ＬＤＰＣＣコードワードＣＷ３０、ＣＷ３１、およびＣＷ３２で符号化され得る）。
【００５２】
[0065]  図４は、本開示の様々な態様に従った、統合されたコードブロックセグメンテーションのための例示的な方法４００を図示するフローチャートである。いくつかの例では、方法４００は、図１または２に関連して説明された基地局１０５またはＵＥ１１５のうちの１つのようなデバイスによって行われ得る。
【００５３】
[0066]  ブロック４０５において、方法４００は、送信データレート（例えば、変調およびコーディングスキーム（ＭＣＳ））、送信リソースサイズ、またはそれらの組合せを、入力として受信し得る。
【００５４】
[0067]  ブロック４１０において、方法４００は、ペイロードのペイロードサイズ（Ｎｐｌｄ）を決定することを含み得る。いくつかの例では、ペイロードサイズは、送信データレートまたは送信リソースサイズに少なくとも部分的に基づき得る。
【００５５】
[0068]  ブロック４１５において、方法４００は、ペイロードのために符号化タイプを選択することを含み得る。符号化タイプは、ペイロードサイズに少なくとも部分的に基づき得る。ペイロードサイズが閾値よりも小さいとき、ペイロードのためにＬＤＰＣＣ符号化タイプが選択され得、方法４００は、ブロック４２０において継続し得る。ペイロードサイズが閾値よりも大きいとき、ペイロードのためにＴＣ符号化タイプが選択され得、方法４００は、ブロック４２５において継続し得る。
【００５６】
[0069]  ブロック４２０において、方法４００は、ペイロードを複数のＬＤＰＣＣコードブロックにセグメント化することを含み得、ブロック４２５において、方法４００は、ペイロードを複数のＴＣコードブロックにセグメント化することを含み得る。いくつかの例では、ブロック４２０または４２５において行われるセグメント化に、同じコードブロックサイズ制限（Ｎ０）が適用され得る。いくつかの例では、ＬＴＥ／ＬＴＥ−Ａネットワーク中のように、Ｎ０＝６１４４である。ペイロードがブロック４２０または４２５におけるコードブロックにセグメント化されるか否かに関わらず、ペイロード（またはトランスポートブロック（ＴＢ））は、必要な場合（if any）、Ｎ０コードブロックサイズ制限に従って、最小数のコードブロックに分割され得る。いくつかの例では、コードブロックの各々は、同じまたは類似したサイズを有し得る。いくつかの例では、フィラービットは、等しいコードブロック長を維持するために、ペイロードと組み合わせられ得る。いくつかの例では、ブロック４２５において（いくつかのケースでは、ブロック４２０において）ペイロードをセグメント化するために使用されるコードブロックのサイズは、許容されたコードブロックサイズのリストから識別され得る。
【００５７】
[0070]  ブロック４３０において、方法４００は、ブロック４２０または４２５から受信したコードブロックの各々のためにＣＲＣを生成することを含み得る。
【００５８】
[0071]  ブロック４３５において、方法４００は、ブロック４１５において選択された符号化タイプに依存して、ブロック４４０または４４５のうちの１つに分岐し得る。４１５においてＬＤＰＣＣ符号化タイプがブロック選択されるとき、方法４００は、ブロック４４０において継続し得る。ブロック４１５においてＴＣ符号化タイプが選択されるとき、方法４００は、ブロック４４５において継続し得る。
【００５９】
[0072]  ブロック４４０において、方法４００は、１つまたは複数のＬＤＰＣＣコードワードで各コードブロックおよび関連するＣＲＣを符号化することを含み得る。いくつかの例では、同じコードブロックに関連付けられた各コードワードは、等しいコードワード長を有し得、各コードブロックは、整数個のＬＤＰＣＣコードワードで符号化され得る（反対に（conversely）、ブロック４２０において識別される各ＬＤＰＣＣコードブロックは、等しいコードワード長の整数倍であり得る）。
【００６０】
[0073]  ブロック４４５において、方法４００は、１つまたは複数のＴＣコードワードで各コードブロックおよび関連するＣＲＣを符号化することを含み得る。ブロック４５０において、生成されたコードワードが送信され得る。
【００６１】
[0074]  方法４００のいくつかの例では、ＬＤＰＣＣ符号化ペイロードに関連付けられた各コードブロックのコードブロック長は、等しいコードワード長の整数倍になるように選択され得る。いくつかの例では、方法４００は、選択されたコードブロック長を維持するために、フィラービットとＬＤＰＣＣ符号化ペイロードとを組み合わせることを含み得る。
【００６２】
[0075]  方法４００のいくつかの例では、ＬＤＰＣＣ符号化ペイロードの各コードブロックのコードブロック長は、ＴＣ符号化ペイロードをセグメント化するために使用される、ＴＣコードブロックの長さ、あるいはＬＴＥまたはＬＴＥ−Ａコードブロックの長さ、あるいはそれらの組み合わせに少なくとも部分的に基づき得る。いくつかの例では、ＴＣ符号化ペイロードをセグメント化するために使用されるコードブロックの長さは、ＬＤＰＣＣ符号化ペイロードをセグメント化するために使用されるコードブロックの長さに少なくとも部分的に基づいて選択され得る。
【００６３】
[0076]  図５は、本開示の様々な態様に従った、ワイヤレス通信で使用するためのデバイス５０５の図５００を示す。デバイス５０５は、図１または２に関連して説明された基地局１０５またはＵＥ１１５のうちの１つまたは複数の態様の例であり得る。デバイス５０５はまた、プロセッサであり得るか、またはプロセッサを含み得る。デバイス５０５は、受信機５１０、ワイヤレス通信マネージャ５２０、または送信機５３０を含み得る。これらのコンポーネントの各々は、互いに通信状態であり得る。
【００６４】
[0077]  デバイス５０５のコンポーネントは、個別にまたは集合的に、ハードウェアで適用可能な機能のいくつかまたは全てを行うために適合された、１つまたは複数の特定用途向け集積回路（ＡＳＩＣ）を使用して実装され得る。代替的に、これらの機能は、１つまたは複数の集積回路上で１つまたは複数の他の処理ユニット（またはコア）によって行われ得る。他の例では、他のタイプの集積回路（例えば、ストラクチャード／プラットフォームＡＳＩＣ、フィールド・プログラマブル・ゲート・アレイ（ＦＰＧＡ）、システム・オン・チップ（ＳｏＣ）、および／または他のタイプのセミカスタムＩＣ）が使用され得、それらは、当該技術分野で知られている任意の方法でプログラムされ得る。各コンポーネントの機能はまた、全体的にあるいは部分的に、メモリ内に統合された命令を用いて実装され、１つまたは複数の汎用あるいは特定用途向けのプロセッサによって実行されるようにフォーマットされ得る。
【００６５】
[0078]  いくつかの例では、受信機５１０は、１つまたは複数の無線周波数スペクトルバンド上で送信を受信するように動作可能な少なくとも１つのＲＦ受信機のような、少なくとも１つの無線周波数（ＲＦ）受信機を含み得る。いくつかの例では、受信機５１０は、受信アンテナのアレイを含み得る。いくつかの例では、１つまたは複数の無線周波数スペクトルバンドは、例えば、図１〜４に関連して説明されたようなＬＴＥ／ＬＴＥ−ＡまたはｅＣＣ通信のために使用され得る。受信機５１０は、図１または２に関連して説明されたワイヤレス通信システム１００または２００の１つまたは複数の通信リンク（またはチャネル）のようなワイヤレス通信システムの１つまたは複数の通信リンク（またはチャネル）上で様々なタイプのデータまたは制御信号（すなわち、送信）を受信するために使用され得る。いくつかの例では、受信機５１０は同様にまたは代替的に、１つまたは複数のワイヤード受信機を含み得る。
【００６６】
[0079]  いくつかの例では、送信機５３０は、１つまたは複数の無線周波数スペクトルバンド上で送信するように動作可能な少なくとも１つのＲＦ送信機のような、少なくとも１つのＲＦ送信機を含み得る。いくつかの例では、送信機５３０は、送信アンテナのアレイを含み得る。いくつかの例では、１つまたは複数の無線周波数スペクトルバンドは、例えば、図１〜４に関連して説明されたようなＬＴＥ／ＬＴＥ−ＡまたはｅＣＣ通信のために使用され得る。送信機５３０は、図１または２に関連して説明されたワイヤレス通信システム１００または２００の１つまたは複数の通信リンク（またはチャネル）のようなワイヤレス通信システムの１つまたは複数の通信リンク（またはチャネル）上で様々なタイプのデータまたは制御信号（すなわち、送信）を送信するために使用され得る。いくつかの例では、送信機５３０は同様にまたは代替的に、１つまたは複数のワイヤード送信機を含み得る。
【００６７】
[0080]  いくつかの例では、ワイヤレス通信マネージャ５２０は、デバイス５０５についてのワイヤレス通信の１つまたは複数の態様を管理するために使用され得る。いくつかの例では、ワイヤレス通信マネージャ５２０の一部は、受信機５１０または送信機５３０に組み込まれ得るか、またはそれらと共有され得る。いくつかの例では、ワイヤレス通信マネージャ５２０は、ペイロード符号化タイプセレクタ５３５、ペイロードセグメンタ５４０、ＣＲＣ生成器５４５、符号化マネージャ５５０、または送信マネージャ５５５を含み得る。
【００６８】
[0081]  ペイロード符号化タイプセレクタ５３５は、複数のペイロードのペイロードごとの符号化タイプを選択するために使用され得る。選択することは、少なくとも第１のペイロードのためにＬＤＰＣＣ符号化タイプを選択することと、少なくとも第２のペイロードのためにＴＣ符号化タイプを選択することとを含み得る。ペイロードセグメンタ５４０は、各ペイロードを複数のコードブロックにセグメント化するために使用され得る。ＣＲＣ生成器５４５は、コードブロックごとに、ＣＲＣを生成するために使用され得る。符号化マネージャ５５０は、複数のコードワードのうちの１つまたは複数のコードワードで各コードブロックおよび関連するＣＲＣを符号化するために使用され得る。符号化することは、コードブロックに関連付けられたペイロードのための選択された符号化タイプに少なくとも部分的に基づき得る。送信マネージャ５５５は、コードワードを送信するために使用され得る。
【００６９】
[0082]  図６は、本開示の様々な態様に従った、ワイヤレス通信で使用するためのワイヤレス通信マネージャ５２０−ａの図６００を示す。ワイヤレス通信マネージャ５２０−ａは、図５に関連して説明されたワイヤレス通信マネージャ５２０の態様の例であり得る。
【００７０】
[0083]  ワイヤレス通信マネージャ５２０−ａのコンポーネントは、個別にまたは集合的に、ハードウェアで適用可能な機能のいくつかまたは全てを行うために適合された、１つまたは複数の特定用途向け集積回路（ＡＳＩＣ）を使用して実装され得る。代替的に、これらの機能は、１つまたは複数の集積回路上で１つまたは複数の他の処理ユニット（またはコア）によって行われ得る。他の例では、他のタイプの集積回路が使用され得（例えば、ストラクチャード／プラットフォームＡＳＩＣ、ＦＰＧＡ、ＳｏＣ、および／または他のタイプのセミカスタムＩＣ）、それらは、当該技術分野で知られている任意の方法でプログラムされ得る。各コンポーネントの機能はまた、全体的にあるいは部分的に、メモリ内に統合された命令を用いて実装され、１つまたは複数の汎用あるいは特定用途向けのプロセッサによって実行されるようにフォーマットされ得る。
【００７１】
[0084]  いくつかの例では、ワイヤレス通信マネージャ５２０−ａは、図１または２に関連して説明された基地局１０５またはＵＥ１１５のうちの１つ、あるいは図５に関連して説明されたデバイス５０５のような、基地局、ＵＥ、または他のデバイスのためのワイヤレス通信の１つまたは複数の態様を管理するために使用され得る。いくつかの例では、ワイヤレス通信マネージャ５２０−ａの一部は、受信機または送信機（例えば、図５に関連して説明された受信機５１０または送信機５３０）に組み込まれ得るまたはそれらと共有され得る。いくつかの例では、ワイヤレス通信マネージャ５２０−ａは、ペイロード特性識別子６０５、ペイロード符号化タイプセレクタ５３５−ａ、ペイロード情報通信機６１０、ペイロードセグメンタ５４０−ａ、ＣＲＣ生成器５４５−ａ、符号化マネージャ５５０−ａ、コードブロック長セレクタ６１５、送信マネージャ５５５−ａ、ＡＣＫ／ＮＡＫマネージャ６２０、または再送マネージャ６２５を含み得る。
【００７２】
[0085]  ペイロード特性識別子６０５は、複数のペイロードの１つまたは複数の特性を識別するために使用され得る。いくつかの例では、１つまたは複数の特性は、ペイロードサイズ、送信データレート、送信リソースサイズ、またはそれらの組み合わせのうちの少なくとも１つを含み得る。いくつかの例では、あるペイロードの特性は、そのペイロードのみに（solely）基づき得る。いくつかの例では、ペイロードの特性は、複数のペイロードの特性に基づき得る（例えば、ペイロードの特性は、平均値または最大値であり得る）。
【００７３】
[0086]  ペイロード符号化タイプセレクタ５３５−ａは、複数のペイロードのペイロードごとの符号化タイプを選択するために使用され得る。選択することは、少なくとも第１のペイロードのためにＬＤＰＣＣ符号化タイプを選択することと、少なくとも第２のペイロードのためにＴＣ符号化タイプを選択することとを含み得る。いくつかの例では、あるペイロードのための符号化タイプは、ペイロード特性識別子６０５によって識別されるような、そのペイロードの特性に少なくとも部分的に基づいて選択され得る。
【００７４】
[0087]  ペイロード情報通信機６１０は、ペイロードのうちの少なくとも１つのために、ペイロードサイズのインジケーション、送信データレートのインジケーション、送信リソースサイズのインジケーション、または選択された符号化タイプのインジケーションのうちの少なくとも１つを送信するために使用され得る。
【００７５】
[0088]  ペイロードセグメンタ５４０−ａは、各ペイロードを複数のコードブロックにセグメント化するために使用され得る。ＣＲＣ生成器５４５−ａは、コードブロックごとに、ＣＲＣを生成するために使用され得る。符号化マネージャ５５０−ａは、複数のコードワードのうちの１つまたは複数のコードワードで各コードブロックおよび関連するＣＲＣを符号化するために使用され得る。符号化することは、コードブロックに関連付けられたペイロードのための選択された符号化タイプに少なくとも部分的に基づき得る。いくつかの例では、第１のペイロードのコードブロックに関連付けられた各コードワードは、等しいコードワード長を有し得る。
【００７６】
[0089]  コードブロック長セレクタ６１５は、符号化マネージャ５５０−ａとともに、およびいくつかの例では、等しいコードワード長の整数倍である少なくとも第１のペイロードに関連付けられた各コードブロックのコードブロック長を選択するために使用され得る。いくつかの例では、コードブロック長セレクタ６１５は、選択されたコードブロック長を維持するために、符号化マネージャ５５０−ａによって行われる符号化の前にまたはその一部として、フィラービットと第１のペイロードとを組み合わせ得る。いくつかの例では、第１のペイロードに関連付けられた各コードブロックは、コードブロックに対応する各コードワードに関連付けられた等しいコードワード長の整数倍であるコードブロック長を有し得る。
【００７７】
[0090]  いくつかの例では、コードブロック長セレクタ６１５は、少なくとも第２のペイロードをセグメント化するために使用される、ＴＣコードブロックの長さ、あるいはＬＴＥまたはＬＴＥ−Ａコードブロックの長さ、あるいはそれらの組み合わせに少なくとも部分的に基づいて、少なくとも第１のペイロードの各コードブロックのコードブロック長を選択するために使用され得る。いくつかの例では、コードブロック長セレクタ６１５は、少なくとも第１のペイロードをセグメント化するために使用される各コードブロックの長さに少なくとも部分的に基づいて、少なくとも第２のペイロードをセグメント化するために使用されるＴＣコードブロックの長さを選択するために使用され得る。コードブロック長は、符号化マネージャ５５０−ａによって行われる符号化の前にまたはその一部として選択され得る。送信マネージャ５５５−ａは、コードワードを送信するために使用され得る。
【００７８】
[0091]  ＡＣＫ／ＮＡＫマネージャ６２０は、コードブロックごとにＡＣＫまたはＮＡＫのうちの１つを受信するために使用され得る。再送マネージャ６２５は、あるコードブロックについてＮＡＫが受信されるとき、そのコードブロックに関連付けられた１つまたは複数のコードワードおよびＣＲＣを再送するために使用され得る。例えば、第１のペイロードに関連付けられたコードブロックのＮＡＫが受信されるとき、再送マネージャ６２５は、コードブロックに関連付けられた複数のＬＤＰＣＣコードワードと、コードブロックに関連付けられたＣＲＣとを再送するために使用され得る。
【００７９】
[0092]  図７は、本開示の様々な態様に従った、ワイヤレス通信で使用するためのデバイス７０５の図７００を示す。デバイス７０５は、図１または２に関連して説明された基地局１０５またはＵＥ１１５のうちの１つまたは複数の態様、または図５に関連して説明されたデバイス５０５の態様の例であり得る。デバイス７０５はまた、プロセッサであるか、またはプロセッサを含み得る。デバイス７０５は、受信機７１０、ワイヤレス通信マネージャ７２０、または送信機７３０を含み得る。これらのコンポーネントの各々は、互いに通信状態であり得る。
【００８０】
[0093]  デバイス７０５のコンポーネントは、個別にまたは集合的に、ハードウェアで適用可能な機能のいくつかまたは全てを行うために適合された、１つまたは複数の特定用途向け集積回路（ＡＳＩＣ）を使用して実装され得る。代替的に、これらの機能は、１つまたは複数の集積回路上で１つまたは複数の他の処理ユニット（またはコア）によって行われ得る。他の例では、他のタイプの集積回路（例えば、ストラクチャード／プラットフォームＡＳＩＣ、ＦＰＧＡ、ＳｏＣ、および／または他のタイプのセミカスタムＩＣ）が使用され得、それらは、当該技術分野で知られている任意の方法でプログラムされ得る。各コンポーネントの機能はまた、全体的にあるいは部分的に、メモリ内に統合された命令を用いて実装され、１つまたは複数の汎用あるいは特定用途向けのプロセッサによって実行されるようにフォーマットされ得る。
【００８１】
[0094]  いくつかの例では、受信機７１０は、１つまたは複数の無線周波数スペクトルバンド上で送信を受信するように動作可能な少なくとも１つのＲＦ受信機のような、少なくとも１つのＲＦ受信機を含み得る。いくつかの例では、受信機７１０は、受信アンテナのアレイを含み得る。いくつかの例では、１つまたは複数の無線周波数スペクトルバンドは、例えば、図１〜４に関連して説明されたようなＬＴＥ／ＬＴＥ−ＡまたはｅＣＣ通信のために使用され得る。受信機７１０は、図１または２に関連して説明されたワイヤレス通信システム１００または２００の１つまたは複数の通信リンク（またはチャネル）のようなワイヤレス通信システムの１つまたは複数の通信リンク（またはチャネル）上で様々なタイプのデータまたは制御信号（すなわち、送信）を受信するために使用され得る。いくつかの例では、受信機７１０は同様にまたは代替的に、１つまたは複数のワイヤード受信機を含み得る。
【００８２】
[0095]  いくつかの例では、送信機７３０は、１つまたは複数の無線周波数スペクトルバンド上で送信するように動作可能な少なくとも１つのＲＦ送信機のような、少なくとも１つのＲＦ送信機を含み得る。いくつかの例では、送信機７３０は、送信アンテナのアレイを含み得る。いくつかの例では、１つまたは複数の無線周波数スペクトルバンドは、例えば、図１〜４に関連して説明されたようなＬＴＥ／ＬＴＥ−ＡまたはｅＣＣ通信のために使用され得る。送信機７３０は、図１または２に関連して説明されたワイヤレス通信システム１００または２００の１つまたは複数の通信リンク（またはチャネル）のようなワイヤレス通信システムの１つまたは複数の通信リンク（またはチャネル）上で様々なタイプのデータまたは制御信号（すなわち、送信）を送信するために使用され得る。いくつかの例では、送信機７３０は同様にまたは代替的に、１つまたは複数のワイヤード送信機を含み得る。
【００８３】
[0096]  いくつかの例では、ワイヤレス通信マネージャ７２０は、デバイス７０５についてのワイヤレス通信の１つまたは複数の態様を管理するために使用され得る。いくつかの例では、ワイヤレス通信マネージャ７２０の一部は、受信機７１０または送信機７３０に組み込まれ得るか、またはそれらと共有され得る。いくつかの例では、ワイヤレス通信マネージャ７２０は、ペイロード受信マネージャ７３５、コードワードデコーダ７４０、またはＡＣＫ／ＮＡＫマネージャ７４５を含み得る。
【００８４】
[0097]  ペイロード受信マネージャ７３５は、ＬＤＰＣＣ符号化タイプを使用して符号化された少なくとも第１のペイロードと、ＴＣ符号化タイプを使用して符号化された少なくとも第２のペイロードとに関連付けられた複数のコードワードを受信するために使用され得る。コードワードデコーダ７４０は、ＣＲＣおよび第１のペイロードに関連付けられたコードワードのセットを復号するために使用され得る。ＡＣＫ／ＮＡＫマネージャ７４５は、コードワードのセットについてＡＣＫまたはＮＡＫのうちの１つを送信するために使用され得る。
【００８５】
[0098]  図８は、本開示の様々な態様に従った、ワイヤレス通信で使用するためのワイヤレス通信マネージャ７２０−ａの図８００を示す。ワイヤレス通信マネージャ７２０−ａは、図７に関連して説明されるワイヤレス通信マネージャ７２０の態様の例であり得る。
【００８６】
[0099]  ワイヤレス通信マネージャ７２０−ａのコンポーネントは、個別にまたは集合的に、ハードウェアで適用可能な機能のいくつかまたは全てを行うために適合された、１つまたは複数の特定用途向け集積回路（ＡＳＩＣ）を使用して実装され得る。代替的に、これらの機能は、１つまたは複数の集積回路上で１つまたは複数の他の処理ユニット（またはコア）によって行われ得る。他の例では、他のタイプの集積回路（例えば、ストラクチャード／プラットフォームＡＳＩＣ、ＦＰＧＡ、ＳｏＣ、および／または他のタイプのセミカスタムＩＣ）が使用され得、それらは、当該技術分野で知られている任意の方法でプログラムされ得る。各コンポーネントの機能はまた、全体的にあるいは部分的に、メモリ内に統合された命令を用いて実装され、１つまたは複数の汎用あるいは特定用途向けのプロセッサによって実行されるようにフォーマットされ得る。
【００８７】
[0100]  いくつかの例では、ワイヤレス通信マネージャ７２０−ａは、図１または２に関連して説明された基地局１０５またはＵＥ１１５のうちの１つ、あるいは図７に関連して説明されたデバイス７０５のような、基地局、ＵＥ、または他のデバイスのためのワイヤレス通信の１つまたは複数の態様を管理するために使用され得る。いくつかの例では、ワイヤレス通信マネージャ７２０−ａの一部は、受信機または送信機（例えば、図７に関連して説明された受信機７１０または送信機７３０）に組み込まれ得るまたはそれらと共有され得る。いくつかの例では、ワイヤレス通信マネージャ７２０−ａは、ペイロード受信マネージャ７３５−ａ、ペイロード符号化タイプ識別子８０５、コードワードデコーダ７４０−ａ、またはＡＣＫ／ＮＡＫマネージャ７４５−ａを含み得る。
【００８８】
[0101]  ペイロード受信マネージャ７３５−ａは、ＬＤＰＣＣ符号化タイプを使用して符号化された少なくとも第１のペイロードと、ＴＣ符号化タイプを使用して符号化された少なくとも第２のペイロードとに関連付けられた複数のコードワードを受信するために使用され得る。
【００８９】
[0102]  ペイロード符号化タイプ識別子（payload encoding type identifier）８０５は、第１のペイロードを符号化するためにＬＤＰＣＣ符号化タイプが使用されるというインジケーションを受信するか、または第２のペイロードを符号化するためにＴＣ符号化タイプが使用されるというインジケーションを受信するために使用され得る。ペイロード符号化タイプ識別子８０５は、追加的にまたは代替的に、第１のペイロードまたは第２のペイロードのために（for）、ペイロードサイズのインジケーション、送信データレートのインジケーション、送信リソースサイズのインジケーション、またはそれらの組み合わせを受信することに少なくとも部分的に基づいて、第１のペイロードのためにＬＤＰＣＣ符号化タイプが使用されると決定するか、または第２のペイロードのためにＴＣ符号化タイプが使用されると決定するように使用され得る。
【００９０】
[0103]  コードワードデコーダ７４０−ａは、ＣＲＣおよび第１のペイロードに関連付けられたコードワードのセットを復号するために使用され得る。ＡＣＫ／ＮＡＫマネージャ７４５−ａは、コードワードのセットについてＡＣＫまたはＮＡＫのうちの１つを送信するために使用され得る。
【００９１】
[0104]  図９は、本開示の様々な態様に従った、ワイヤレス通信で使用するための基地局１０５−ｃ（例えば、ｅＮＢの一部または全てを形成する基地局）の図９００を示す。いくつかの例では、基地局１０５−ｃは、図１または図２に関連して説明された基地局１０５の１つまたは複数の態様、あるいは図５または７に関連して説明されたデバイス５０５または７０５の１つまたは複数の態様の例であり得る。基地局１０５−ｃは、図１〜８に関連して説明された、基地局またはデバイス特徴または機能のうちの少なくともいくつかを実装または容易にするように構成され得る。
【００９２】
[0105]  基地局１０５−ｃは、基地局プロセッサ９１０、基地局メモリ９２０、（基地局トランシーバ９５０で表される）少なくとも１つの基地局トランシーバ、（基地局アンテナ９５５で表される）少なくとも１つの基地局アンテナ、または基地局ワイヤレス通信マネージャ９６０を含み得る。基地局１０５−ｃはまた、基地局通信機９３０またはネットワーク通信機９４０の１つまたは複数を含み得る。これらのコンポーネントの各々は、１つまたは複数のバス９３５を介して、直接的または間接的に、互いに通信状態であり得る。
【００９３】
[0106]  基地局メモリ９２０は、ランダムアクセスメモリ（ＲＡＭ）または読取専用メモリ（ＲＯＭ）を含み得る。基地局メモリ９２０は、例えば、ＬＤＰＣＣ符号化タイプとＴＣ符号化タイプとのうちから、複数のペイロードのペイロードごとの符号化タイプを選択すること、またはＬＤＰＣＣ符号化タイプを使用して符号化された少なくとも第１のペイロードと、ＴＣ符号化タイプを使用して符号化された第２のペイロードとに関連付けられた複数のコードワードを受信することを含む、ワイヤレス通信に関して本明細書で説明される様々な機能を行うために、基地局プロセッサ９１０によって実行可能な命令を含む、コンピュータ実行可能なコンピュータ実行可能コード９２５を記憶し得る。代替として、コンピュータ実行可能コード９２５は、基地局プロセッサ９１０によって直接的に実行可能でない可能性があるが、（例えば、コンパイルおよび実行されるときに）本明細書に説明された様々な機能を基地局１０５−ｃに行わせるように構成され得る。
【００９４】
[0107]  基地局プロセッサ９１０は、例えば、中央処理ユニット（ＣＰＵ）、マイクロコントローラ、ＡＳＩＣなどのようなインテリジェントハードウェアデバイスを含み得る。基地局プロセッサ９１０は、基地局トランシーバ９５０、基地局通信機９３０、またはネットワーク通信機９４０を通して受信された情報を処理し得る。基地局プロセッサ９１０はまた、アンテナ９５５を通じた送信のためにトランシーバ９５０に、１つまたは複数の他の基地局１０５−ｄおよび１０５−ｅへの送信のために基地局通信機９３０に、またはコアネットワーク１３０−ａへの送信のためにネットワーク通信機（communicator）９４０に送られる情報を処理し得、それは、図１に関連して説明されたコアネットワーク１３０の１つまたは複数の態様の例であり得る。基地局プロセッサ９１０は、単独で、または基地局ワイヤレス通信マネージャ９６０との組み合わせで、１つまたは複数の無線周波数スペクトルバンド上で通信する（または１つまたは複数の無線周波数スペクトルバンド上の通信を管理する）様々な態様を処理し得る。
【００９５】
[0108]  基地局トランシーバ９５０は、パケットを変調し、変調されたパケットを送信のために基地局アンテナ９５５に提供し、基地局アンテナ９５５から受信したパケットを復調するように構成されたモデムを含み得る。基地局トランシーバ９５０は、いくつかの例では、１つまたは複数の基地局送信機および１つまたは複数の別個の基地局受信機として実装され得る。基地局トランシーバ９５０は、１つまたは複数の無線周波数スペクトルバンド中の通信をサポートし得る。基地局トランシーバ９５０は、図１または２に関連して説明されたＵＥ１１５の１つまたは複数、あるいは図５または７に関連して説明されたデバイス５０５または７０５のうちの１つまたは複数のような１つまたは複数のＵＥを用いて、アンテナ９５５を介して、双方向で通信するように構成され得る。基地局１０５−ｃは、例えば、複数の基地局アンテナ９５５（例えば、アンテナアレイ）を含み得る。基地局１０５−ｃは、ネットワーク通信機９４０を通じてコアネットワーク１３０−ａと通信し得る。基地局１０５−ｃはまた、基地局通信機９３０を使用して基地局１０５−ｄおよび１０５−ｅのような他の基地局と通信し得る。
【００９６】
[0109]  基地局ワイヤレス通信マネージャ９６０は、１つまたは複数の無線周波数スペクトルバンド上のワイヤレス通信に関する図１〜８関連して説明される特徴または機能のうちのいくつかまたは全てをプログラムまたは制御するように構成され得る。基地局ワイヤレス通信マネージャ９６０またはその一部がプロセッサを含み、あるいは、基地局ワイヤレス通信マネージャ９６０の機能のうちのいくつかまたは全ては、基地局プロセッサ９１０によって、または基地局プロセッサ９１０に関連して（in connection with）行われ得る。いくつかの例では、基地局ワイヤレス通信マネージャ９６０は、図５、６、７、または８に関連して説明されたワイヤレス通信マネージャ５２０または７２０の例であり得る。
【００９７】
[0110]  図１０は、本開示の様々な態様に従った、ワイヤレス通信で使用するためのＵＥ１１５−ｄの図１０００を示す。ＵＥ１１５−ｄは、様々な構成を有し得、ワイヤレス通信デバイス、パーソナルコンピュータ（例えば、ラップトップコンピュータ、ネットブックコンピュータ、タブレットコンピュータなど）、ハンドヘルドデバイス、セルラフォン、スマートフォン、コードレスフォン、ワイヤレスモデム、ＷＬＬ局、パーソナルＰＤＡ、ＤＶＲ、インターネット機器、ゲーミングコンソール、ｅリーダ、狭帯域デバイス、ＩｏＴデバイスなどであり得る。ＵＥ１１５−ｄは、いくつかの例では、モバイルまたはリモート動作を容易にするために、小型バッテリのような内部電源（図示せず）を有し得る。いくつかの例では、ＵＥ１１５−ｄは、図１または図２に関連して説明されたＵＥ１１５のうちの１つまたは複数の態様、図５または７に関連して説明されたデバイス５０５または７０５のうちの１つまたは複数の態様の例であり得る。ＵＥ１１５−ｄは、図１〜８に関連して説明されたＵＥまたはデバイスの特徴または機能のうちの少なくともいくつかを実装にするように構成され得る。
【００９８】
[0111]  ＵＥ１１５−ｄは、ＵＥプロセッサ１０１０、ＵＥメモリ１０２０、（ＵＥトランシーバ１０３０で表される）少なくとも１つのＵＥトランシーバ、（ＵＥアンテナ１０４０で表される）少なくとも１つのＵＥアンテナ、またはＵＥデバイスワイヤレス通信マネージャ１０５０を含み得る。これらのコンポーネントの各々は、１つまたは複数のバス１０３５を介して、直接的または間接的に、互いに通信状態であり得る。
【００９９】
[0112]  ＵＥメモリ１０２０は、ＲＡＭまたはＲＯＭを含み得る。ＵＥメモリ１０２０は、例えば、ＬＤＰＣＣ符号化タイプとＴＣ符号化タイプとのうちから、複数のペイロードのペイロードごとの符号化タイプを選択すること、ＬＤＰＣＣ符号化タイプを使用して符号化された少なくとも第１のペイロードと、ＴＣ符号化タイプを使用して符号化された第２のペイロードとに関連付けられた複数のコードワードを受信することを含む、ワイヤレス通信に関して本明細書で説明される様々な機能を行うために、ＵＥプロセッサ１０１０によって実行可能な命令を含む、コンピュータ実行可能なコンピュータ実行可能コード１０２５を記憶し得る。代替的に、コンピュータ実行可能コード１０２５は、ＵＥプロセッサ１０１０によって直接的に実行可能でない可能性があるが、（例えば、コンパイルおよび実行されるときに）本明細書に説明された様々な機能をＵＥ１１５−ｄに行わせるように構成され得る。
【０１００】
[0113]  ＵＥプロセッサ１０１０は、例えば、ＣＰＵ、マイクロコントローラ、ＡＳＩＣなどのようなインテリジェントハードウェアデバイスを含み得る。ＵＥプロセッサ１０１０は、ＵＥトランシーバ１０３０を通じて受信された情報、またはアンテナ１０４０を通じた送信のためにＵＥトランシーバ１０３０に送られる情報を処理し得る。ＵＥプロセッサ１０１０は、単独で、またはＵＥデバイスワイヤレス通信マネージャ１０５０との組み合わせで、１つまたは複数の無線周波数スペクトルバンド上で通信する（または通信を管理する）様々な態様を処理し得る。
【０１０１】
[0114]  ＵＥトランシーバ１０３０は、パケットを変調し、変調されたパケットを送信のためにＵＥアンテナ１０４０に提供し、ＵＥアンテナ１０４０から受信したパケットを復調するように構成されたモデムを含み得る。ＵＥトランシーバ１０３０は、いくつかの例では、１つまたは複数のＵＥ送信機および１つまたは複数の別個のＵＥ受信機として実装され得る。ＵＥトランシーバ１０３０は、１つまたは複数の無線周波数スペクトルバンド中の通信をサポートし得る。ＵＥトランシーバ１０３０は、図１、２、または９に関連して説明された基地局１０５の１つまたは複数、あるいは図５または７に関連して説明されたデバイス５０５または７０５のうちの１つまたは複数のような基地局の１つまたは複数または他のデバイスを用いて、ＵＥアンテナ１０４０を介して、双方向で通信するように構成され得る。ＵＥ１１５−ｄは、単一のＵＥアンテナを含み得るが、一方、ＵＥ１１５−ｄが複数のＵＥアンテナ１０４０を含み得る例が存在し得る。
【０１０２】
[0115]  ＵＥデバイスワイヤレス通信マネージャ１０５０は、１つまたは複数の無線周波数スペクトルバンド上のワイヤレス通信に関する図１〜８関連して説明される特徴または機能のうちのいくつかまたは全てをプログラムまたは制御するように構成され得る。ＵＥデバイスワイヤレス通信マネージャ１０５０またはその一部が、プロセッサを含み、あるいは、ＵＥデバイスワイヤレス通信マネージャ１０５０の機能のうちのいくつかまたは全ては、ＵＥプロセッサ１０１０によって、またはＵＥプロセッサ１０１０に関連して行われ得る。いくつかの例では、ＵＥデバイスワイヤレス通信マネージャ１０５０は、図５、６、７、または８に関連して説明されたワイヤレス通信マネージャ５２０または７２０の例であり得る。
【０１０３】
[0116]  図１１は、本開示の様々な態様に従った、ワイヤレス通信のための方法１１００の例を図示するフローチャートである。簡潔化のために、図５に関連して説明されたデバイス５０５の態様、あるいは図５、６、７、または８に関連して説明されたワイヤレス通信マネージャ５２０、５２０−ａ、７２０、または７２０−ａのうちの１つまたは複数の態様に関連して、方法１１００が下記に説明される。いくつかの例では、図９に関連して説明された基地局ワイヤレス通信マネージャ９６０の１つまたは複数の態様に関連して、あるいは図１０に関連して説明されたＵＥデバイスワイヤレス通信マネージャ１０５０の１つまたは複数の態様に関連して、方法１１００が下記に説明される。いくつかの例では、デバイス（例えば、基地局またはＵＥ）は、特殊目的（special-purpose）ハードウェアを使用して、下記に説明される機能のうちの１つまたは複数を行い得る。
【０１０４】
[0117]  ブロック１１０５において、方法１１００は、複数のペイロードのペイロードごとの符号化タイプを選択することを含み得る。選択することは、少なくとも第１のペイロードのためにＬＤＰＣＣ符号化タイプを選択することと、少なくとも第２のペイロードのためにＴＣ符号化タイプを選択することとを含み得る。ブロック１１０５における動作は、図５、６、７、または８に関連して説明されたワイヤレス通信マネージャ５２０、５２０−ａ、７２０、または７２０−ａ、あるいは図９に関連して説明された基地局ワイヤレス通信マネージャ９６０、あるいは図１０に関連して説明されたＵＥデバイスワイヤレス通信マネージャ１０５０、あるいは図５または６に関連して説明されたペイロード符号化タイプセレクタ５３５を使用して行われ得る。
【０１０５】
[0118]  ブロック１１１０において、方法１１００は、各ペイロードを複数のコードブロックにセグメント化することを含み得る。ブロック１１１０における動作は、図５、６、７、または８に関連して説明されたワイヤレス通信マネージャ５２０、５２０−ａ、７２０、または７２０−ａ、あるいは図９に関連して説明された基地局ワイヤレス通信マネージャ９６０、あるいは図１０に関連して説明されたＵＥデバイスワイヤレス通信マネージャ１０５０、あるいは図５または６に関連して説明されたペイロードセグメンタ５４０を使用して行われ得る。
【０１０６】
[0119]  ブロック１１１５において、方法１１００は、コードブロックごとにＣＲＣを生成することを含み得る。ブロック１１１５における動作は、図５、６、７、または８に関連して説明されたワイヤレス通信マネージャ５２０、５２０−ａ、７２０、または７２０−ａ、あるいは図９に関連して説明された基地局ワイヤレス通信マネージャ９６０、あるいは図１０に関連して説明されたＵＥデバイスワイヤレス通信マネージャ１０５０、あるいは図５または６に関連して説明されたＣＲＣ生成器５４５を使用して行われ得る。
【０１０７】
[0120]  ブロック１１２０において、方法１１００は、複数のコードワードのうちの１つまたは複数のコードワードで各コードブロックおよび関連するＣＲＣを符号化することを含み得る。符号化することは、コードブロックに関連付けられたペイロードのための選択された符号化タイプに少なくとも部分的に基づき得る。ブロック１１２０における動作は、図５、６、７、または８に関連して説明されたワイヤレス通信マネージャ５２０、５２０−ａ、７２０、または７２０−ａ、あるいは図９に関連して説明された基地局ワイヤレス通信マネージャ９６０、あるいは図１０に関連して説明されたＵＥデバイスワイヤレス通信マネージャ１０５０、あるいは図５または６に関連して説明された符号化マネージャ５５０を使用して行われ得る。
【０１０８】
[0121]  ブロック１１２５において、方法１１００は、コードワードを送信することを含み得る。ブロック１１２５における動作は、図５、６、７、または８に関連して説明されたワイヤレス通信マネージャ５２０、５２０−ａ、７２０、または７２０−ａ、あるいは図９に関連して説明された基地局ワイヤレス通信マネージャ９６０、あるいは図１０に関連して説明されたＵＥデバイスワイヤレス通信マネージャ１０５０、あるいは図５または６に関連して説明された送信マネージャ５５５を使用して行われ得る。
【０１０９】
[0122]  図１２は、本開示の様々な態様に従った、ワイヤレス通信のための方法１２００の例を図示するフローチャートである。簡潔化のために、図５に関連して説明されたデバイス５０５の態様、あるいは図５、６、７、または８に関連して説明されたワイヤレス通信マネージャ５２０、５２０−ａ、７２０、または７２０−ａのうちの１つまたは複数の態様に関連して、方法１１００が下記に説明される。いくつかの例では、図９に関連して説明された基地局ワイヤレス通信マネージャ９６０、あるいは図１０に関連して説明されたＵＥデバイスワイヤレス通信マネージャ１０５０の１つまたは複数の態様に関連して、方法１１００が下記に説明される。いくつかの例では、デバイス（例えば、基地局またはＵＥ）は、特殊目的ハードウェアを使用して、下記に説明される機能のうちの１つまたは複数を行い得る。
【０１１０】
[0123]  ブロック１２０５において、方法１２００は、複数のペイロードの１つまたは複数の特性を識別することを含み得る。いくつかの例では、１つまたは複数の特性は、ペイロードサイズ、送信データレート、送信リソースサイズ、またはそれらの組み合わせのうちの少なくとも１つを含み得る。いくつかの例では、ペイロードの特性は、そのペイロードのみに基づき得る。いくつかの例では、ペイロードの特性は、複数のペイロードの特性に基づき得る（例えば、ペイロードの特性は、平均値または最大値であり得る）。ブロック１２０５における動作は、図５、６、７、または８に関連して説明されたワイヤレス通信マネージャ５２０、５２０−ａ、７２０、または７２０−ａ、あるいは図９に関連して説明された基地局ワイヤレス通信マネージャ９６０、あるいは図１０に関連して説明されたＵＥデバイスワイヤレス通信マネージャ１０５０、あるいは図６に関連して説明されたペイロード特性識別子６０５を使用して行われ得る。
【０１１１】
[0124]  ブロック１２１０において、方法１２００は、複数のペイロードのペイロードごとの符号化タイプを選択することを含み得る。選択することは、少なくとも第１のペイロードのためにＬＤＰＣＣ符号化タイプを選択することと、少なくとも第２のペイロードのためにＴＣ符号化タイプを選択することとを含み得る。いくつかの例では、あるペイロードのための符号化タイプは、ブロック１２０５において識別されるような、そのペイロードの特性に少なくとも部分的に基づいて選択され得る。ブロック１２１０における動作は、図５、６、７、または８に関連して説明されたワイヤレス通信マネージャ５２０、５２０−ａ、７２０、または７２０−ａ、あるいは図９に関連して説明された基地局ワイヤレス通信マネージャ９６０、あるいは図１０に関連して説明されたＵＥデバイスワイヤレス通信マネージャ１０５０、あるいは図５または６に関連して説明されたペイロード符号化タイプセレクタ５３５を使用して行われ得る。
【０１１２】
[0125]  ブロック１２１５において、方法１２００は、ペイロードのうちの少なくとも１つのために、ペイロードサイズのインジケーション、送信データレートのインジケーション、送信リソースサイズのインジケーション、または選択された符号化タイプのインジケーションのうちの少なくとも１つを送信することを含み得る。ブロック１２１５における動作は、図５、６、７、または８に関連して説明されたワイヤレス通信マネージャ５２０、５２０−ａ、７２０、または７２０−ａ、あるいは図９に関連して説明された基地局ワイヤレス通信マネージャ９６０、あるいは図１０に関連して説明されたＵＥデバイスワイヤレス通信マネージャ１０５０、あるいは図６に関連して説明されたペイロード情報通信機６１０を使用して行われ得る。
【０１１３】
[0126]  ブロック１２２０において、方法１２００は、各ペイロードを複数のコードブロックにセグメント化することを含み得る。ブロック１２２０における動作は、図５、６、７、または８に関連して説明されたワイヤレス通信マネージャ５２０、５２０−ａ、７２０、または７２０−ａ、あるいは図９に関連して説明された基地局ワイヤレス通信マネージャ９６０、あるいは図１０に関連して説明されたＵＥデバイスワイヤレス通信マネージャ１０５０、あるいは図５または６に関連して説明されたペイロードセグメンタ５４０を使用して行われ得る。
【０１１４】
[0127]  ブロック１２２５において、方法１２００は、コードブロックごとにＣＲＣを生成することを含み得る。ブロック１２２５における動作は、図５、６、７、または８に関連して説明されたワイヤレス通信マネージャ５２０、５２０−ａ、７２０、または７２０−ａ、あるいは図９に関連して説明された基地局ワイヤレス通信マネージャ９６０、あるいは図１０に関連して説明されたＵＥデバイスワイヤレス通信マネージャ１０５０、あるいは図５または６に関連して説明されたＣＲＣ生成器５３５を使用して行われ得る。
【０１１５】
[0128]  ブロック１２３０において、方法１２００は、複数のコードワードのうちの１つまたは複数のコードワードで各コードブロックおよび関連するＣＲＣを符号化することを含み得る。符号化することは、コードブロックに関連付けられたペイロードのための選択された符号化タイプに少なくとも部分的に基づき得る。方法１２００のいくつかの例では、第１のペイロードのコードブロックに関連付けられた各コードワードは、等しいコードワード長を有し得る。ブロック１２３０における動作は、あるいは図５、６、７、または８に関連して説明されたワイヤレス通信マネージャ５２０、５２０−ａ、７２０、または７２０−ａ、図９に関連して説明された基地局ワイヤレス通信マネージャ９６０、あるいは図１０に関連して説明されたＵＥデバイスワイヤレス通信マネージャ１０５０、あるいは図５または６に関連して説明された符号化マネージャ５５０を使用して行われ得る。
【０１１６】
[0129]  ブロック１２３５において、方法１２００は、コードワードを送信することを含み得る。ブロック１２３５における動作は、図５、６、７、または８に関連して説明されたワイヤレス通信マネージャ５２０、５２０−ａ、７２０、または７２０−ａ、あるいは図９に関連して説明された基地局ワイヤレス通信マネージャ９６０、あるいは図１０に関連して説明されたＵＥデバイスワイヤレス通信マネージャ１０５０、あるいは図５または６に関連して説明された送信マネージャ５５５を使用して行われ得る。
【０１１７】
[0130]  ブロック１２４０において、方法１２００は、コードブロックごとにＡＣＫまたはＮＡＫのうちの１つを受信することを含み得る。ブロック１２４０における動作は、図５、６、７、または８に関連して説明されたワイヤレス通信マネージャ５２０、５２０−ａ、７２０、または７２０−ａ、あるいは図９に関連して説明された基地局ワイヤレス通信マネージャ９６０、あるいは図１０に関連して説明されたＵＥデバイスワイヤレス通信マネージャ１０５０、あるいは図６に関連して説明されたＡＣＫ／ＮＡＫマネージャ６２０を使用して行われ得る。
【０１１８】
[0131]  ブロック１２４５において、あるコードブロックについてＮＡＫが受信されるとき、方法１２００は、そのコードブロックに関連付けられた１つまたは複数のコードワードおよびＣＲＣを再送することを含み得る。例えば、第１のペイロードに関連付けられたコードブロックのＮＡＫが受信されるとき、方法１２００は、コードブロックに関連付けられた複数のＬＤＰＣＣコードワードと、コードブロックに関連付けられたＣＲＣとを再送することを含み得る。ブロック１２４５における動作は、図５、６、７、または８に関連して説明されたワイヤレス通信マネージャ５２０、５２０−ａ、７２０、または７２０−ａ、あるいは図９に関連して説明された基地局ワイヤレス通信マネージャ９６０、あるいは図１０に関連して説明されたＵＥデバイスワイヤレス通信マネージャ１０５０、あるいは図６に関連して説明された再送マネージャ６２５を使用して行われ得る。
【０１１９】
[0132]  いくつかの例では、方法１２００は、等しいコードワード長の整数倍である少なくとも第１のペイロードに関連付けられた各コードブロックのコードブロック長を選択することを含み得る。いくつかの例では、方法１２００は、選択されたコードブロック長を維持するために、ブロック１２２０において、動作の前にまたは動作の一部として、フィラービットと第１のペイロードとを組み合わせることを含み得る。いくつかの例では、第１のペイロードに関連付けられた各コードブロックは、コードブロックに対応する各コードワードに関連付けられた等しいコードワード長の整数倍であるコードブロック長を有し得る。
【０１２０】
[0133]  いくつかの例では、方法１２００は、少なくとも第２のペイロードをセグメント化するために使用される、ＴＣコードブロックの長さ、あるいはＬＴＥまたはＬＴＥ−Ａコードブロックの長さ、あるいはそれらの組み合わせに少なくとも部分的に基づいて、少なくとも第１のペイロードの各コードブロックのコードブロック長を選択することを含み得る。コードブロック長は、ブロック１２２０において、動作の前にまたは動作の一部として選択され得る。
【０１２１】
[0134]  いくつかの例では、方法１２００は、少なくとも第１のペイロードをセグメント化するために使用される各コードブロックの長さに少なくとも部分的に基づいて、少なくとも第２のペイロードをセグメント化するために使用されるＴＣコードブロックの長さを選択することを含み得る。ＴＣコードブロックの長さは、ブロック１２２０において、動作の前にまたは動作の一部として選択され得る。
【０１２２】
[0135]  図１３は、本開示の様々な態様に従った、ワイヤレス通信のための方法１３００の例を図示するフローチャートである。簡潔化のために、図５に関連して説明されたデバイス５０５の態様、あるいは図５、６、７、または８に関連して説明されたワイヤレス通信マネージャ５２０、５２０−ａ、７２０、または７２０−ａのうちの１つまたは複数の態様に関連して、方法１１００が下記に説明される。いくつかの例では、図９に関連して説明された基地局ワイヤレス通信マネージャ９６０の１つまたは複数の態様に関連して、あるいは図１０に関連して説明されたＵＥデバイスワイヤレス通信マネージャ１０５０の１つまたは複数の態様に関連して、方法１１００が下記に説明される。いくつかの例では、デバイス（例えば、基地局またはＵＥ）は、特殊目的ハードウェアを使用して下記に説明される機能のうちの１つまたは複数を行い得る。
【０１２３】
[0136]  ブロック１３０５において、方法１３００は、ＬＤＰＣＣ符号化タイプを使用して符号化された少なくとも第１のペイロードと、ＴＣ符号化タイプを使用して符号化された少なくとも第２のペイロードとに関連付けられた複数のコードワードを受信することを含み得る。ブロック１３０５における動作は、図５、６、７、または８に関連して説明されたワイヤレス通信マネージャ５２０、５２０−ａ、７２０、または７２０−ａ、あるいは図９に関連して説明された基地局ワイヤレス通信マネージャ９６０、あるいは図１０に関連して説明されたＵＥデバイスワイヤレス通信マネージャ１０５０、あるいは図７または８に関連して説明されたペイロード受信マネージャ７３５または７３５−ａを使用して行われ得る。
【０１２４】
[0137]  ブロック１３１０において、方法１３００は、ＣＲＣおよび第１のペイロードに関連付けられたコードワードのセットを復号することを含み得る。ブロック１３１０における動作は、図５、６、７、または８に関連して説明されたワイヤレス通信マネージャ５２０、５２０−ａ、７２０、または７２０−ａ、あるいは図９に関連して説明された基地局ワイヤレス通信マネージャ９６０、あるいは図１０に関連して説明されたＵＥデバイスワイヤレス通信マネージャ１０５０、あるいは図７または８に関連して説明されたコードワードデコーダ７４０を使用して行われ得る。
【０１２５】
[0138]  ブロック１３１５において、方法１３００はコードワードのセットについてＡＣＫまたはＮＡＫのうちの１つを送信することを含み得る。ブロック１３１５における動作は、図５、６、７、または８に関連して説明されたワイヤレス通信マネージャ５２０、５２０−ａ、７２０、または７２０−ａ、あるいは図９に関連して説明された基地局ワイヤレス通信マネージャ９６０、あるいは図１０に関連して説明されたＵＥデバイスワイヤレス通信マネージャ１０５０、あるいは図７または８に関連して説明されたＡＣＫ／ＮＡＫマネージャ７４５を使用して行われ得る。
【０１２６】
[0139]  いくつかの例では、方法１３００は、第１のペイロードを符号化するためにＬＤＰＣＣ符号化タイプが使用されるというインジケーションを受信すること、または第２のペイロードを符号化するためにＴＣ符号化タイプが使用されるというインジケーションを受信することを含み得る。代替的に、方法１３００は、第１のペイロードまたは第２のペイロードのために、ペイロードサイズのインジケーション、送信データレートのインジケーション、送信リソースサイズのインジケーション、またはそれらの組み合わせを受信することに少なくとも部分的に基づいて、第１のペイロードのためにＬＤＰＣＣ符号化タイプが使用されると決定すること、または第２のペイロードのためにＴＣ符号化タイプが使用されると決定することを含み得る。
【０１２７】
[0140]  方法１１００、１２００、および１３００がワイヤレス通信のための方法の例を提供し、方法１１００、１２００、および１３００の動作が再配列されるか、またはそうでなければ修正されることに留意されたい。
【０１２８】
[0141]  添付の図面に関連して上述された詳細な説明は、例を説明するものであり、実装され得るまたは特許請求の範囲の範囲内にある全ての例を表してはいない。この説明において使用されるとき、「例」および「例示的な」という用語は、「例、実例、または例示を提供する」ことを意味し、「好ましい」または「他の例よりも有利である」ことを意味するものではない。詳細な説明は、説明された技法の理解を提供する目的で、特定の詳細を含む。しかしながら、これらの技法は、これらの特定の詳細がなくとも実施され得る。いくつかの事例では、周知の構造およびデバイスは、説明された例の概念を曖昧にするのを避けるために、ブロック図形式で示されている。
【０１２９】
[0142]  情報および信号は、様々な異なる技術および技法のうちの任意のものを用いて表わされ得る。例えば、上記の説明全体にわたって参照され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１３０】
[0143]  本明細書の開示に関連して説明された様々な例示的なブロックおよびコンポーネントは、汎用プロセッサ、デジタルシグナルプロセッサ（ＤＳＰ）、ＡＳＩＣ、ＦＰＧＡまたは他のプログラマブル論理デバイス、個別ゲートまたはトランジスタロジック、個別ハードウェアコンポーネント、または本明細書で説明される機能を実行するように設計されたこれらの任意の組み合わせを用いて実装または実行され得る。汎用プロセッサはマイクロプロセッサであり得るが、代替では、このプロセッサは、任意の従来のプロセッサ、コントローラ、マイクロコントローラ、またはステートマシンであり得る。プロセッサはまた、例えば、ＤＳＰとマイクロプロセッサの組み合わせ、複数のマイクロプロセッサ、ＤＳＰのコアと連携した１つまたは複数のマイクロプロセッサ、あるいは任意の他のこのような構成のようなコンピューティングデバイスの組み合わせとして実装され得る。
【０１３１】
[0144]  本明細書で説明される機能は、ハードウェア、プロセッサによって実行されるソフトウェア、ファームウェア、またはそれらの任意の組み合わせで実装され得る。プロセッサによって実行されるソフトウェアで実装される場合、機能は、１つまたは複数の命令またはコードとしてコンピュータ可読媒体上で記憶されるか、またはそれを介して送信され得る。他の例および実装は、本開示および添付の請求項の精神および範囲内にある。例えば、ソフトウェアの本質により、上述される機能は、プロセッサによって実行されるソフトウェア、ハードウェア、ファームウェア、ハードワイヤリング、またはこれらの任意の組み合わせを使用して実装されることができる。機能を実装する特徴はまた、機能の部分が、異なる物理的ロケーションで実装されるように分散されることを含む、様々なポジションに物理的に位置付けられ得る。本明細書で使用されるように、請求項に含まれる「および／または」という表現は、２つ以上の項目のリストで使用されるとき、それ自体によって用いられ得るリスト化された項目のうちのいずれか１つ、またはリスト化された項目のうちの２つ以上のいずれかの組合せが用いられ得ることを意味する。例えば、構成がコンポーネントＡ、Ｂ、および／またはＣを含むと説明される場合、その構成は、Ａ単独；Ｂ単独；Ｃ単独；ＡおよびＢの組合せ；ＡおよびＣの組合せ；ＢおよびＣの組合せ；またはＡ、Ｂ、およびＣの組合せを含むことができる。また、請求項を含めて、本明細書で使用されるように、項目のリストにおいて使用される「または」（例えば、「〜のうちの少なくとも１つ」あるいは「〜のうちの１つまたは複数」のようなフレーズによって前置きされる項目のリスト）は、例えば、「Ａ、Ｂ、またはＣのうちの少なくとも１つ」のリストが、ＡまたはＢまたはＣまたはＡＢまたはＡＣまたはＢＣまたはＡＢＣ（すなわち、ＡおよびＢおよびＣ）を意味するように、選言的なリスト（disjunctive list）を指示する。
【０１３２】
[0145]  コンピュータ可読媒体は、１つの場所から別の場所へのコンピュータプログラムの転送を容易にする任意の媒体を含む通信媒体とコンピュータ記憶媒体との両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭ、または他の光学ディスク記憶装置、磁気ディスク記憶装置または他の磁気記憶デバイス、あるいは、汎用コンピュータまたは専用コンピュータ、あるいは、汎用プロセッサまたは専用プロセッサによってアクセスされることができ、命令またはデータ構造の形式で所望のプログラムコード手段を搬送または記憶するために使用され得る任意の他の媒体を備え得る。また、いかなる接続もコンピュータ可読媒体と適切に呼ばれる。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波のようなワイヤレス技術は、媒体の定義に含まれる。本明細書で使用されるような、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびＢｌｕ−ｒａｙ（登録商標）ディスクを含み、ここで、ディスク（disks）は通常磁気的にデータを再生し、一方ディスク（discs）はレーザーを用いて光学的にデータを再生する。上記の組み合わせはまた、コンピュータ可読媒体の範囲内に含まれる。
【０１３３】
[0146]  本開示の先の説明は、当業者が本開示を製造または使用することを可能にするように提供されている。本開示への様々な修正は当業者には容易に明らかであり、本明細書で定義した一般原理は、本開示の趣旨または範囲から逸脱することなく他の変形形態に適用できる。この開示全体を通して、「例」または「例示的な」という用語は、例または事例を示し、記載された例に対する任意の選好を暗示または要求するものではない。よって、本開示は、本明細書で説明される例および設計に制限されるものではなく、本明細書に開示された原理および新規な特徴に合致する最も広い範囲が与えられるべきである。
【図１】
2019503146.tif 000003
【図２】
2019503146.tif 000004
【図３】
2019503146.tif 000005
【図４】
2019503146.tif 000006
【図５】
2019503146.tif 000007
【図６】
2019503146.tif 000008
【図７】
2019503146.tif 000009
【図８】
2019503146.tif 000010
【図９】
2019503146.tif 000011
【図１０】
2019503146.tif 000012
【図１１】
2019503146.tif 000013
【図１２】
2019503146.tif 000014
【図１３】
2019503146.tif 000015
【国際調査報告】
2019503146.tif 000016
2019503146.tif 000017
2019503146.tif 000018